(57)【要約】イオンミラー４１は、抵抗分割器４５によって相互接続された薄い電極で構築され、電位Ｕ１〜Ｕ５が結び目電極に印加されると、「結び目」電極間に線形電位分布のセグメント４１〜４３を形成するが、メッシュによってこれらの場領域は分離されていない。電場の弱くて制御された侵入が、場の非線形性および等電位線の湾曲に細かい制御を提供し、これにより、これまでにないレベルのイオン光学的品質：厚い電極ミラーと比較して２倍を超える大きなエネルギー受容性、エネルギー集束あたり最大６次時間、イオン空間集束、および広い空間的受容性、に到達することを可能にする。新規ミラーは、イオン反射間のイオン横方向変位のために、または多重化ミラースタックのために、非常にスリムに形成され、それらをスタックに配置することができる。プリント回路基板（ＰＣＢ）は、新規イオンミラーを作製するのに最適であり、新規イオンミラーは、ＰＣＢの要件に合うように設計されている。
2021518045.tif 000002
【特許請求の範囲】
【請求項１】
軸（Ｘ）に沿ってイオンを反射するためのイオンミラーであって、
使用中に前記イオンの転回点が位置する第１の軸方向セグメント（Ｅ２）と、第２の軸方向セグメント（Ｅ３）とを備え、前記第１および第２の軸方向セグメントは、前記軸（Ｘ）に沿った方向で互いに隣接しており、
少なくとも前記第１の軸方向セグメントが、前記軸（Ｘ）に沿って互いに離間した複数の電極を備え、少なくとも前記第１の軸方向セグメントの前記電極が、前記軸に沿って実質的に同じ長さを有し、これらの電極の隣接する対は、これらの電極が前記軸に沿ってピッチＰを有するように配置されるように、実質的に同じ間隔で離間され、
前記複数の電極が、使用中に前記イオンが進行する、前記軸（Ｘ）に直交する平面（Ｙ−Ｚ平面）に配置された窓を画定し、前記窓は前記平面（Ｙ−Ｚ平面）において最小寸法Ｈを有し、
Ｐ≦Ｈ／５である、イオンミラー。
【請求項２】
前記イオンの前記反射を実行するための電場を生成するために、前記イオンミラーの異なる電極に異なる電圧を印加するための電圧源を備え、少なくとも前記第１の軸方向セグメントが、前記軸に沿って離間されたセグメント間電極の間に画定され、前記セグメント間電極の各々が、前記電圧源のうちの１つが接続される電極であり、前記第１の軸方向セグメントの前記複数の電極が、前記セグメント間電極の間に配置され、それらに電気的に接続され、電子回路によって互いに相互接続され、それにより、前記電圧源が前記セグメント間電極に電圧を印加すると、これにより、前記複数の電極は異なる電位に維持され、前記電場を生成する、請求項１に記載のイオンミラー。
【請求項３】
前記第１の軸方向セグメント内の前記複数の電極が、一連の抵抗器によって互いに相互接続されている、請求項２に記載のイオンミラー。
【請求項４】
前記一連の抵抗器が、前記セグメント内の前記複数の電極において、およびそれらに沿って実質的に線形の電位勾配を形成するように構成されている、請求項３に記載のイオンミラー。
【請求項５】
前記ミラーが、前記第１の軸方向セグメントにおける前記平均イオン転回点から前記ミラーの入口／出口のより近くにある前記セグメント間電極までの前記軸に沿った距離（Ｘ３）が、≦２Ｈ、≦１．５Ｈ、≦１Ｈ、≦０．５Ｈ、０．２Ｈ≦Ｘ３≦１．７Ｈの範囲、または０．１Ｈ≦Ｘ３≦１Ｈの範囲になるように構成されている、請求項２、３、または４に記載のイオンミラー。
【請求項６】
電圧源を備え、前記第１の軸方向セグメント内に第１の強度Ｅ２の第１の線形電場を生成するために前記第１の軸方向セグメントの前記電極に電位を印加し、前記第２の軸方向セグメント内に第２の強度Ｅ３の第２の線形電場を生成するために前記第２の軸方向セグメントの電極に電位を印加するように構成され、電場強度の比率Ｅ３／Ｅ２が、Ｅ３／Ｅ２＝Ａ＊［０．７５＋０．０５＊ｅｘｐ（（４Ｘ３／Ｈ）−１）］、の関係によって前記距離Ｘ３に関連付けられ、ここで、０．５≦Ａ≦２である、請求項５に記載のイオンミラー。
【請求項７】
前記比率Ｅ３／Ｅ２が、（ｉ）０．２≦Ｘ３／Ｈ≦１のとき、０．８≦Ｅ３／Ｅ２≦２、（ｉｉ）１≦Ｘ３／Ｈ≦１．５のとき、１．５≦Ｅ３／Ｅ２≦１０、および（ｉｉｉ）１．５≦Ｘ３／Ｈ≦２のとき、Ｅ３／Ｅ２≧１０のグループのうちの１つである、請求項６に記載のミラー。
【請求項８】
前記第１の軸方向セグメントよりも前記イオンミラーの入口端部からより遠くに配置された第３の軸方向セグメントを備え、かつ、前記第１の軸方向セグメント内に第１の強度Ｅ２の第１の線形電場を生成するために前記第１の軸方向セグメントの前記電極に電位を印加し、前記第３の軸方向セグメント内に第３の強度Ｅ１の第３の線形電場を生成するために前記第３の軸方向セグメントの電極に電位を印加するように構成された電圧源を備え、ここで、Ｅ１＜Ｅ２であり、前記ミラーが、前記第１の軸方向セグメント内の前記平均イオン転回点から、前記ミラー入口からより遠くにある前記セグメント間電極までの前記軸に沿った前記距離（Ｘ２）が、０．２≦Ｘ２／Ｈ≦１になるように構成されている、請求項２〜７のいずれか１項に記載のイオンミラー。
【請求項９】
電圧源を備え、前記第１の軸方向セグメント内に第１の強度の第１の線形電場（Ｅ２）を生成するために前記第１の軸方向セグメントの前記電極に電位を印加し、前記第２の軸方向セグメント内に第２の強度の第２の線形電場（Ｅ３）を生成するために前記第２の軸方向セグメントの電極に電位を印加するように構成され、前記電極は、前記第２の線形電場（Ｅ３）が前記第１の軸方向セグメントに侵入するように構成され、それにより、前記第１の軸方向セグメントの軸方向部分における前記軸方向電場が、前記イオンの前記転回点が位置する場所で非線形である、請求項１〜８のいずれかに記載のイオンミラー。
【請求項１０】
前記第１の軸方向セグメント内の平均イオン転回点における軸方向電場強度Ｅ０が、（ｉ）０．０１≦（Ｅ０−Ｅ２）／Ｅ２≦０．１、および（ｉｉ）０．０１５≦（Ｅ０−Ｅ２）／Ｅ２≦０．０３、を含むグループからの関係によって、前記第１の線形電場Ｅ２の前記強度に関連する、請求項９に記載のイオンミラー。
【請求項１１】
前記電極は、前記第２の線形電場（Ｅ３）が前記第１の軸方向セグメントに侵入するように構成され、それにより、前記第１の軸方向セグメントにおける等電位場線が、前記イオンの前記転回点が位置する場所で湾曲し、および／または、
前記第１および第２の軸方向セグメントにおける前記異なる電場強度が、前記第１および第２の軸方向セグメント間の移行領域において湾曲した等電位場線を生成する、請求項９または１０に記載のイオンミラー。
【請求項１２】
前記軸（Ｘ）に沿った方向で前記第１の軸方向セグメント（Ｅ２）に隣接する第３の軸方向セグメント（Ｅ１）を備え、前記第３の軸方向セグメントが、前記軸（Ｘ）に沿って互いに離間された複数の電極を備える、請求項１〜１１のいずれかに記載のイオンミラー。
【請求項１３】
電圧源を備え、前記第３の軸方向セグメント内に第３の強度の第３の線形電場（Ｅ１）を生成するために前記第３の軸方向セグメントの前記電極に電位を印加するように構成され、前記電極は、前記第３の線形電場（Ｅ１）が前記第１の軸方向セグメントに侵入するように構成され、それにより、前記第１の軸方向セグメントの軸方向部分における前記軸方向電場が、前記イオンの前記転回点が位置する場所で非線形である、請求項１２に記載のイオンミラー。
【請求項１４】
前記軸に沿った前記第１の軸方向セグメントの長さが、≦５Ｈ、≦４Ｈ、≦３Ｈ、または≦２Ｈ、である、請求項１〜１３のいずれかに記載のイオンミラー。
【請求項１５】
電圧源を備え、前記第１の軸方向セグメント内に第１の強度の第１の線形電場（Ｅ２）を生成するために前記第１の軸方向セグメントの前記電極に電位を印加し、前記２の軸方向セグメント内に第２の異なる強度の第２の線形電場（Ｅ３）を生成するために前記第２の軸方向セグメントの電極に電位を印加するように構成され、それにより、前記第１および第２の軸方向セグメント間の境界に不均一な軸方向電場を形成する、請求項１〜１４のいずれかに記載のイオンミラー。
【請求項１６】
前記ミラーが、電圧源を有し、前記第１の軸方向セグメント内に第１の強度Ｅ２の第１の線形電場を生成するために前記第１の軸方向セグメントの前記電極に電位を印加するように構成され、４．３Ｕ０／Ｄ＜Ｅ２＜５Ｕ０／Ｄであり、ここでＵ０は、前記ミラーで反射されるイオンの平均エネルギーＫ０をそのイオンの前記電荷ｑで割ったものに等しく、Ｄは前記平均イオン転回点から前記ミラーの１次エネルギー集束時間焦点までの距離である、請求項１〜１５のいずれかに記載のイオンミラー。
【請求項１７】
１５≦Ｄ／Ｈ≦２５である、請求項１６に記載のミラー。
【請求項１８】
入口レンズをさらに備え、前記入口レンズは、（ｉ）加速レンズ、（ｉｉ）遅延レンズ、（ｉｉｉ）多段レンズ、（ｉｖ）細長いレンズ電極の両端に形成されたデュアルレンズ、および（ｖ）液浸レンズ、のグループのうちの１つを任意選択で備える、請求項１〜１７のいずれかに記載のイオンミラー。
【請求項１９】
前記イオンミラーの前記電極の少なくともいくつかが、プリント回路基板（ＰＣＢ）の導電性ストリップである、請求項１〜１８のいずれかに記載のイオンミラー。
【請求項２０】
前記ＰＣＢが帯電防止表面特性を備えている、請求項１９に記載のイオンミラー。
【請求項２１】
前記イオンミラーが、前記最小寸法Ｈだけ離間された２つの平行なプリント回路基板を備え、前記プリント回路基板は、前記軸に直交する前記ＰＣＢ上に整列され、周期Ｐ≦Ｈ／５を有する導電性ストリップの周期構造の形態の前記複数の電極を備える、請求項１９または２０に記載のイオンミラー。
【請求項２２】
前記導電性ストリップが、任意選択でトランスアキシャル電場を形成するために、前記ＰＣＢの平面内で湾曲している、請求項２１に記載のイオンミラー。
【請求項２３】
軸（Ｘ）に沿ってイオンを反射するためのイオンミラーであって、
使用中に前記イオンの前記転回点が位置する第１の軸方向セグメントおよび第２の軸方向セグメントであって、前記第１および第２の軸方向セグメントが、前記軸（Ｘ）に沿った方向で互いに隣接している、第１および第２の軸方向セグメントと、
前記第１の軸方向セグメント内に第１の強度の第１の線形電場を生成するために前記第１の軸方向セグメントの電極に電位を印加し、前記第２の軸方向セグメント内に第２の強度の第２の線形電場を生成するために前記第２の軸方向セグメントの電極に電位を印加するように構成された電圧源と、を備え、
前記電圧源および電極は、前記第２の線形電場が前記第１の軸方向セグメントに侵入するように構成され、それにより、前記第１の軸方向セグメントの軸方向部分における前記軸方向電場が、前記イオンの前記転回点が位置する場所で非線形であり、かつ、前記第１の軸方向セグメント内の平均イオン転回点での軸方向電場強度Ｅ０が、０．０１≦（Ｅ０−Ｅ２）／Ｅ２≦０．１の関係によって、前記第１の線形電場の前記強度Ｅ２に関連する、イオンミラー。
【請求項２４】
軸（Ｘ）に沿ってイオンを反射するためのイオンミラーであって、
イオンを受け取るための入口端部と、
使用中に前記イオンの転回点が位置する第１の軸方向セグメント（Ｅ２）、および前記軸（Ｘ）に沿った方向で前記第１の軸方向セグメントに隣接する第２の軸方向セグメント（Ｅ３）と、
前記イオンの前記反射を実行する電場を生成するために前記イオンミラーの異なる電極に異なる電圧を印加するための電圧源と、を備え、
少なくとも前記第１の軸方向セグメントが、前記軸に沿って離間されたセグメント間電極間に画定され、前記セグメント間電極の各々が、前記電圧源のうちの１つが接続される電極であり、前記第１の軸方向セグメントが、前記軸（Ｘ）に沿って互いに離間し、前記セグメント間電極間に配置された複数の電極を備え、前記複数の電極が、前記セグメント間電極に電気的に接続され、電子回路によって互いに相互接続され、それにより、前記電圧源が前記セグメント間電極に電圧を印加すると、これにより、前記複数の電極は異なる電位に維持され、前記電場を生成し、
前記複数の電極が、使用中に前記イオンが進行する、前記軸（Ｘ）に直交する平面（Ｙ−Ｚ平面）に配置された窓を画定し、前記窓は前記平面（Ｙ−Ｚ平面）において最小寸法Ｈを有し、
前記ミラーが、前記第１の軸方向セグメント内の平均イオン転回点から前記ミラーの入口端部により近い前記セグメント間電極までの前記軸に沿った距離（Ｘ３）が、≦２Ｈ、≦１．５Ｈ、≦１Ｈ、≦０．５Ｈ、０．２Ｈ≦Ｘ３≦１．７Ｈの範囲、または０．１Ｈ≦Ｘ３≦１Ｈの範囲、のグループから選択されるように構成されている、イオンミラー。
【請求項２５】
請求項１〜２４のいずれかで請求された少なくとも１つのイオンミラーと、
イオンを前記イオンミラーに提供するためのイオン源と、
イオン検出器と、を備える、質量分析計。
【請求項２６】
前記質量分析計が、
（ｉ）飛行時間型質量分析計、任意選択で、前記イオンミラー間でイオンを複数回反射するように配置された２つの前記イオンミラーを備える多重反射飛行時間型質量分析計、または、
（ｉｉ）静電型トラップ質量分析計、のいずれかである、請求項２５に記載の質量分析計。
【請求項２７】
請求項１〜２６のいずれかで請求されたイオンミラーまたは分析計を提供することと、
イオンを前記イオンミラーに供給することと、
前記第１の軸方向セグメント（Ｅ２）内のイオン転回点でイオンを反射することと、
前記イオンを検出することと、を含む、質量分析の方法。
【請求項２８】
飛行時間型、または多重反射飛行時間型、または等時性静電型トラップの質量分析計内の、等時性反射グリッドレスイオンミラーであって、
（ａ）デカルトＸＹＺ座標内のＸＹ平面に２次元の静電場を形成するために、イオン反射軸Ｘに直交する方向を向いた相互に整列された窓を有する、または形成する一組の平行な導電性電極であって、前記窓の特徴的な最小横サイズＨが、リング電極の窓直径、または長方形窓のより小さなＹ寸法のいずれかとして画定される、一組の平行な導電性電極を備え、
（ｂ）電極は、Ｅ２およびＥ３として示される少なくとも２つのセグメントにグループ化され、セグメントＥ２およびＥ３は隣接しており、メッシュを有さない、開いた窓を有する「結び目」電極によって分離されており、セグメント境界上の前記「結び目」電極に別個の電位が印加され、かつ、各セグメントの電極が、均一な抵抗チェーンで相互接続されて、電極上の対応する電位勾配Ｅ２およびＥ３でセグメント内の電極に線形電位分布を形成し、セグメントＥ３は、Ｅ２セグメントの上流、すなわち、前記ミラーの出口により近い位置にあり、
（ｃ）Ｅ２セグメントを囲む前記「結び目」電極に印加される電位Ｕ２およびＵ３は、平均電位Ｕ０を含むように選択され、また、Ｘ軸の原点Ｘ＝０を定義し、Ｕ２＞Ｕ０＞Ｕ３、Ｕ０＝Ｋ０／ｑであり、ここでＫ０は平均イオンエネルギー、ｑはイオン電荷であり、これにより、平均イオン転回点が前記Ｅ２セグメント内に含まれることを確実にし、
（ｄ）前記印加電位は、前記セグメントＥ２およびＥ３に等しくない電位勾配を提供して、セグメントの境界に不均一な軸方向電場を形成するように選択され、
（ｅ）少なくとも前記Ｅ２セグメントでは、前記電極の厚さおよび前記Ｘ方向の間隔が均一であり、電極の空間周期ＰがＰ＜Ｈ／５であり、
（ｆ）イオン反射で高度な等時性および空間集束特性を提供するために、前記ミラーは、次の一組の条件、
（ｉ）電場強度Ｅ２は、４．３Ｕ０／Ｄ＜Ｅ２＜５Ｕ０／Ｄであり、Ｄは平均イオン転回点から１次エネルギー集束時間焦点までの距離である、
（ｉｉ）前記平均イオン転回点（Ｘ＝０、Ｕ＝Ｕ０）から最も近い「結び目」電極平面までの前記距離Ｘ３（前記イオン転回点から前記イオンミラーの前記出口までの正のＸ方向の）は、平面鏡面対称の場合は０．２Ｈ＜Ｘ３＜１．７Ｈであり、円筒鏡面対称の場合は０．１Ｈ＜Ｘ３＜１Ｈである、
（ｉｉｉ）電場強度の比率Ｅ３／Ｅ２は、平面対称のイオンミラーの場合、関係Ｅ３／Ｅ２＝Ａ＊［０．７５＋０．０５＊ｅｘｐ（（４Ｘ３／Ｈ）−１）］によって前記Ｘ３距離に関連付けられており、ここで、軸方向電場分布の制御された非線形性を提供するために、０．５＜Ａ＜２であり、前記イオンミラーのエネルギー受容性を強化することが実証されている、を満たす、等時性反射グリッドレスイオンミラー。
【請求項２９】
前記比率Ｅ３／Ｅ２が、グループ、（ｉ）０．２＜Ｘ３／Ｈ＜１のとき、０．８＜Ｅ３／Ｅ２＜２、（ｉｉ）１＜Ｘ３／Ｈ＜１．５のとき、１．５＜Ｅ３／Ｅ２＜１０、および（ｉｉｉ）１．５＜Ｘ３／Ｈ＜２のとき、Ｅ３／Ｅ２＞１０、のうちの１つとして前記Ｘ３距離に関連付けられている、請求項２８に記載のミラー。
【請求項３０】
前記セグメントＥ２の上流（負のＸ方向）に位置し、メッシュを有さない開いた窓を有する「結び目」電極によって前記隣接するセグメントＥ２から分離された、電場強度Ｅ１を有するＥ１セグメントをさらに備え、Ｅ１＜Ｅ２であり、前記平均イオン転回点から前記分離「結び目」電極までの距離Ｘ２が、０．２＜Ｘ２／Ｈ＜１である、請求項２８または２９に記載のミラー。
【請求項３１】
前記平均イオン転回点（Ｘ＝０）で軸方向電場分布の非線形性を提供し、このようにして前記イオンミラーの前記エネルギー受容性を高めるために、Ｘ＝０、Ｕ＝Ｕ０、およびＥ＝Ｅ０の前記平均イオン転回点での前記軸方向電場強度Ｅ０が、前記Ｅ２セグメントにおける前記電場強度Ｅ２とはわずかに異なり、前記平均イオン転回点を含み、周囲のセグメントＥ１およびＥ３の前記電場侵入により発生し、前記電場非線形性は、（ｉ）０．０１＜（Ｅ０−Ｅ２）／Ｅ２＜０．１、および（ｉｉ）０．０１５＜（Ｅ０−Ｅ２）／Ｅ２＜０．０３、のグループのうちの１つの範囲に含まれる、請求項２８〜３０に記載のミラー。
【請求項３２】
１５＜Ｄ／Ｈ＜２５である、請求項２８〜３１に記載のミラー。
【請求項３３】
厚い電極によって、または壁に均一な電場を有するセグメントによってのいずれかで形成された入口レンズをさらに備え、前記入口レンズが、（ｉ）加速レンズ、（ｉｉ）遅延レンズ、（ｉｉｉ）多段レンズ、（ｉｖ）細長いレンズ電極の両端に形成されたデュアルレンズ、および（ｖ）液浸レンズ、のグループのうちの１つを備える、請求項２８〜３２に記載のミラー。
【請求項３４】
前記セグメントの電位および寸法が、少なくとも完全２次の２次空間等時性、および、（ｉ）少なくとも３次のエネルギー等時性、（ｉｉ）少なくとも４次のエネルギー等時性、（ｉｉｉ）少なくとも５次のエネルギー等時性、および（ｉｖ）少なくとも６次のエネルギー等時性、のリストのエネルギー等時性ごとの高次時間に対して、空間イオン集束に到達するために特定の入口レンズごとに最適化され、かつ、特定の次数の小さなエネルギー収差は、より高次の収差の部分的な補償のために残留レベルのままであってもよい、請求項２８〜３３に記載のミラー。
【請求項３５】
前記接続された電源の数は、前記「結び目」電極間に接続された補助抵抗器を使用することによって低減され、前記補助抵抗器の精度は、最適なシミュレートされた電場強度比Ｅ２／Ｅ１を維持するために１％またはそれより良く設定される、請求項２８〜３４に記載のミラー。
【請求項３６】
前記セグメントが、金属、または炭素充填エポキシ突起プロファイル、または導電性コーティング絶縁体のいずれかの薄い導電性電極のスタックとして作製され、前記電極は、側面絶縁プレート（プラスチック、プリント回路基板、セラミック、または石英）に取り付けられるか、または絶縁スペーサで固定され、前記電極の位置決め精度および真直度は、前記側面絶縁基板のスロットによって、もしくは複数の接続ピンによってのいずれかで、または精密スペーサを使用することによって、および／または前記基板への電極取り付けにおける技術的固定具によって、改善される、請求項２８〜３５に記載のミラー。
【請求項３７】
ミラー電極の少なくとも一部が、プリント回路基板上の導電性ストライプであり、前記基板が、エポキシベースの材料、セラミック、石英、ガラス、またはテフロンのいずれかで作製されており、帯電防止表面特性が、前記基板の残留コンダクタンス、またはＧオームからＴオームの範囲の帯電防止もしくは抵抗性コーティングのいずれかで、またはストライプ間の間隔を＜１ｍｍに保つことによって調整される、請求項２８〜３６に記載のミラー。
【請求項３８】
Ｘ方向にイオンを反射するためのイオンミラーであって、
（ａ）ＸＺ平面内で整列し、直交するＹ方向において距離Ｈだけ離間した２つの平行なプリント回路基板であって、前記基板が、エポキシ、セラミック、または石英基板で形成されている、２つの平行なプリント回路基板を備え、
（ｂ）前記プリント回路基板は、周期ＰがＨ／５以下である、Ｚ軸と整列した導電性ストライプの周期的構造を有し、
（ｃ）前記ストライプが均一な抵抗チェーンによって相互接続され、個々の電位が、選択された「結び目」導電性ストライプに印加され、境界を形成し、均一な電位勾配の少なくとも３つのセグメントに分離し、前記電位勾配が、前記セグメント間で異なり、
（ｄ）中間セグメントの前記Ｘの長さが２Ｈ未満あり、この中間セグメントの前記境界上の電位Ｕ２およびＵ３が、前記平均イオン特定エネルギーＵ０を含むように選択され、Ｕ２＞Ｕ０＞Ｕ３であり、
（ｅ）前記プリント回路基板が、前記導電性ストライプ間の平行な微細な導電線の周期的構造および／または１Ｇオーム／平方から１０Ｔオーム／平方の範囲の抵抗を有する帯電防止コーティングのいずれかで形成された帯電防止機能を有する、イオンミラー。
【請求項３９】
前記帯電防止コーティングが、前記導電性ストライプの上または下のいずれかに蒸着され、前記帯電防止コーティングが、（ｉ）絶縁体（ポリマーまたは金属酸化物）でコーティングされた導電性粒子の表面に蒸着させる、（ｉｉ）ＳｎＯ２、ＩｎＯ２、ＴｉＯ２、またはＺｒＯ２などの低コンダクタンス材料で薄くコーティングする、および（ｉｉｉ）中間ガス圧でグロー放電に曝して、金属原子または金属酸化物分子を前記ＰＣＢ表面上に蒸着させる、のグループの技術のうちの１つによって生成される、請求項３８に記載のミラー。
【請求項４０】
前記導電性ストライプが、前記ＸＺ平面内で湾曲して、トランスアキシャル電場を形成する、請求項３８または３９に記載のミラー。
【請求項４１】
前記イオンセグメントが、薄いエポキシ基板、またはテフロン、またはカプトンベースの基板のいずれかであるフレキシブルプリント回路基板で形成され、前記イオンミラーのトポロジーが、（ｉ）スリット窓を有する２Ｄ平面、（ｉｉ）リング窓を有する２Ｄ円形、（ｉｉｉ）Ｙ軸を中心に弧を描いた電極を有する２Ｄ円筒形、および（ｉｖ）円形Ｚ軸で曲げられた弧、のグループのうちの１つである、請求項３８〜４０に記載のミラー。
【請求項４２】
少なくとも２つのイオンミラーを備えた多重反射飛行時間型質量分析計であって、
（ａ）等しい高さのチャネル内に形成され、イオン反射のＸ方向において相互電場侵入のために互いに合体して開いている、ＸＹ平面内の均一な２次元電場の少なくとも２つのセグメントを備え、
（ｂ）イオンエネルギー、前記セグメントの寸法および場は、イオン転回点を前記侵入電場内に、最小のチャネル横断寸法ＨのＮ口径未満だけ前記場の境界から離れて位置付けすることを提供するように選択され、
（ｃ）Ｎは、（ｉ）Ｎ＜２、（ｉｉ）Ｎ＜１．５、（ｉｉｉ）Ｎ＜１、および（ｉｖ）Ｎ＜０．５、のグループのうちの１つである、多重反射飛行時間型質量分析計。
【請求項４３】
（ｉ）前記ミラースタックの前のトランスアキシャルレンズ、（ｉｉ）前記イオンミラー内に配置されたトランスアキシャルレンズ、（ｉｉｉ）任意の空間集束手段による空間収差ごとの飛行時間を補償するための、前記イオンミラーのイオン反射領域における静電くさび、のグループのＺ方向に集束する等時性イオンパケットの１つの平均をさらに含む、請求項４２に記載の分析計。
【請求項４４】
前記少なくとも２つのイオンミラーが、前記イオンミラーアレイ内のすべてのイオン反射についてＹ方向にイオン軌道シフトを配置するために前記Ｙ方向に相互にシフトされたイオンミラーの２つのアレイに構成されている、請求項４２または４３に記載の分析計。
【請求項４５】
イオンミラーの静電場を形成する方法であって、以下の、
（ａ）均一な静電場で開いた隣接するセグメントを形成するステップと、
（ｂ）前記セグメント内に異なる電場強度を形成して、セグメント間の移行領域に相互電場侵入および等電位線の湾曲を生成するステップと、
（ｃ）イオンの転回点がセグメントＥ２に現れるようにイオンエネルギーと電場強度と長さとを調整することであって、高品質の等時性および前記反射場の広い空間的受容性を目的として、少なくとも１つの隣接するセグメントの前記電場侵入が、イオン反射点での前記電場Ｅ０に対して、（ｉ）０．０１＜（Ｅ０−Ｅ２）／Ｅ２＜０．１、（ｉｉ）０．０１５＜（Ｅ０−Ｅ２）／Ｅ２＜０．０３、のグループのうちの１つの範囲で前記電場強度Ｅ２から逸脱して配置される、調整するステップと、を含む、方法。
【発明の詳細な説明】
【技術分野】
【０００１】
関連出願の相互参照
この出願は、２０１８年４月２０日に提出された英国特許出願第１８０６５０７．８号の優先権と利益とを主張する。この出願の全内容は、参照により本明細書に組み込まれる。
【０００２】
本発明は、多重反射飛行時間型質量分析計および静電型イオントラップの分野に関係し、特に、グリッドレスイオンミラーにおける改善された電場に関する。
【背景技術】
【０００３】
イオンミラーを備えたＴＯＦ−ＭＳ：飛行時間型質量分析計（ＴＯＦ  ＭＳ）は、感度と速度との組み合わせで広く使用されている。グリッドで分離された２つのステージを備えたイオンミラーが、ＳＵ１９８０３４でＭａｍｙｒｉｎによって導入された。ミラーは、イオン軌道を折りたたみ、エネルギー集束ごとに２次時間に到達することを可能にし、これにより、ＴＯＦ  ＭＳの質量分解能が向上する。それ以来、ＴＯＦ  ＭＳの大部分はイオンミラーを採用している。グリッドでのイオン損失およびイオン散乱を排除するために、適度なイオン光学品質を有するグリッドレス（グリッドフリー）イオンミラーがＵＳ４７３１５３２Ａにおいて導入された。
【０００４】
多重反射ＴＯＦ  ＭＳ：多重反射ＴＯＦ（ＭＲＴＯＦ）ＭＳの導入により、ＴＯＦ  ＭＳの分解能および質量精度が大幅に向上する。分解能は主に、イオン経路の大幅な延長により向上し、例えば、ＭＲＴＯＦでＬ＝２０〜５０ｍに対して、Ｌ＝２〜５ｍの単一反射ＴＯＦである。合理的な機器サイズに合わせるために、参照により本明細書に組み込まれる、ＳＵ１７２５２８９、ＵＳ６１０７６２５、ＵＳ６５７０１５２、ＧＢ２４０３０６３、ＵＳ６７１７１３２に記載されているように、複数のグリッド通路での壊滅的なイオン損失のためにグリッドを使用することができないグリッドレスイオンミラー間でイオン経路が密に折りたたまれている。
【０００５】
Ｅ−トラップ：参照により本明細書に組み込まれる、ＵＳ６７４４０４２、ＷＯ２０１１０８６４３０、ＵＳ２０１１１８０７０２、およびＷＯ２０１２１１６７６５によって例示されるように、多重反射分析器が、静電型イオントラップ（Ｅ−トラップ）として使用するために提案されている。イオンはイオンミラーの間に閉じ込められ、質量に依存する周波数で振動し、振動周波数はイメージ電流検出器で記録される。ＷＯ２０１１１０７８３６は、オープントラップ（ＴＯＦとＥトラップとの間のハイブリッド）を提案している。
【０００６】
イオンミラー：ほとんどのＭＲＴＯＦおよびＥ−トラップは、ドリフトスペースによって分離された２つの平行なグリッドレスイオンミラーで構成される同様の静電分析器を採用している。同軸グリッドレスイオンミラーが、Ｈ．Ｗｏｌｌｎｉｋ、Ａ．Ｃａｓａｒｅｓ、Ｉｎｔ．Ｊ．Ｍａｓｓ  Ｓｐｅｃｔｒｏｍ．２２７（２００３）２１７〜２２２で導入され、一方、改善された３次エネルギー等時性および２次空間等時性を備えた平面グリッドレスイオンミラーがＧＢ２４０３０６３で導入された。ＷＯ２０１３０６３５８７およびＷＯ２０１４１４２８９７におけるさらなる改善により、エネルギー等時性が５次に、空間等時性が完全３次になり、これには、エネルギー、角度、および空間の広がりに関するクロス項が含まれる。高イオン光学品質のグリッドレスイオンミラーが、所望の電場分布を生成するためにリングまたはフレームのいずれかの非常に少数の厚い電極で構築されていることは、重要な関連性がある。
【０００７】
ＰＣＢイオンミラー：１９８０年代以降、参照により本明細書に組み込まれる、ＵＳ４３９０７８４、ＵＳ４８５５５９５、ＵＳ５８３４７７１、ＵＳ５９９４６９５、ＵＳ６６１４０２０、ＵＳ６５８００７０、ＵＳ７４９８５６９、ＥＰ１５６６８２８、ＵＳ６３１６７６８、ＵＳ７６７５０３１、およびＵＳ８３７３１２０に例示されるように、プリント回路基板（ＰＣＢ）技術が、質量分析計用の電極および電極アセンブリを作製するために提案された。しかしながら、これらのミラーの場構造は、既知のミラー設計をコピーしており、場の改善というよりは構築方法に関係していた。知られている限りでは、イオンミラーの改善されたイオン光学品質を有し、最善の厚さの電極ミラーのイオン光学品質に匹敵するか、またはそれを超えるＰＣＢミラーは提案されていない。
【発明の概要】
【０００８】
本発明は、軸（Ｘ）に沿ってイオンを反射するためのイオンミラーを提供し、使用中にイオンの転回点が位置する第１の軸方向セグメント（Ｅ２）と、第２の軸方向セグメント（Ｅ３）とを備え、第１および第２の軸方向セグメントは、軸（Ｘ）に沿った方向で互いに隣接しており、少なくとも第１の軸方向セグメントが、軸（Ｘ）に沿って互いに離間した複数の電極を備え、少なくとも第１の軸方向セグメントの電極が、軸に沿って実質的に同じ長さを有し、これらの電極の隣接する対は、これらの電極が軸に沿ってピッチＰを有するように配置されるように、実質的に同じ間隔で離間され、複数の電極が、使用中にイオンが進行する、軸（Ｘ）に直交する平面（Ｙ−Ｚ平面）に配置された窓を画定し、窓は平面（Ｙ−Ｚ平面）において最小寸法Ｈを有し、そして、Ｐ≦Ｈ／５である。
【０００９】
ミラーは、イオンをイオンミラーに受け取るための第１の軸方向端部と、イオンが第１の軸方向端部に向かって進行し、その後、そこへ（およびそこから）反射して戻る第２の軸方向端部とを有し得る。第２の軸方向セグメントは、第１の軸方向セグメントよりもイオンミラーの第１の軸方向端部（すなわち、入口／出口端部）により近く配置され得る。
【００１０】
ミラーは、イオンの反射を実行するための電場を生成するために、イオンミラーの異なる電極に異なる電圧を印加するための電圧源を備えることができる。少なくとも第１の軸方向セグメントは、軸に沿って離間されたセグメント間電極の間に画定されてもよく、セグメント間電極の各々は、電圧源のうちの１つが接続される電極である。第１の軸方向セグメントの複数の電極は、セグメント間電極の間に配置されてもよく、電圧源がセグメント間電極に電圧を印加すると、これにより、複数の電極が異なる電位に維持され、電場を生成するように、それらに電気的に接続され、電子回路によって互いに相互接続されてもよい。
【００１１】
「セグメント間電極」という用語は、隣接するセグメント間など、各軸方向セグメントの軸方向端部にある電極を指す。本明細書の他の箇所で言及される「結び目」電極は、セグメント間電極の実施形態である。
【００１２】
第１の軸方向セグメントを画定するセグメント間電極は、第１および第２の電位がそれぞれ供給されるように電圧源に接続され得、第１および第２の電位の平均電位は、ミラーで反射されるイオンの平均エネルギーＫ０をそのイオンの電荷ｑで割ったものに等しくなり得る。これは、イオンが第１の軸方向セグメントで反射されることを確実にし得る。
【００１３】
第１の軸方向セグメント内の複数の電極は、一連の抵抗器によって互いに相互接続され得る。
【００１４】
一連の抵抗器は、セグメント内の複数の電極において、およびそれらに沿って実質的に線形の電位勾配を形成するように構成され得る。
【００１５】
第１の軸方向セグメント内の複数の電極の軸方向端部の電極は、例えば、抵抗器を介して、隣接するセグメント間電極に電気的に接続され得、それにより、セグメント間電極に電圧を印加すると、複数の電極に電圧が印加されることになる。
【００１６】
これは、電圧源の数を減らすことを可能にする。上述の抵抗器の精度は、例えば、最適なシミュレートされた電場強度比Ｅ２／Ｅ１を維持するために、１％またはそれより良く設定され得る。
【００１７】
第２の軸方向セグメントはまた、セグメント間電極によって境界付けられてもよく、それらの間に複数の電極を備えてもよい。これらの複数の電極は、第１の軸方向セグメントに関連して上述したように、抵抗器を使用して互いに、およびセグメント間電極に接続され得る。
【００１８】
ミラーは、第１の軸方向セグメントにおける平均イオン転回点からミラーの入口／出口のより近くにあるセグメント間電極までの軸に沿った距離（Ｘ３）が、≦２Ｈ、≦１．５Ｈ、≦１Ｈ、≦０．５Ｈ、０．２Ｈ≦Ｘ３≦１．７Ｈの範囲、または０．１Ｈ≦Ｘ３≦１Ｈの範囲になるように構成され得る。
【００１９】
距離は、平面対称性を有するミラーの場合、０．２Ｈ≦Ｘ３≦１．７Ｈであってもよく、または円筒鏡面対称性を有するミラーの場合、０．１Ｈ≦Ｘ３≦１Ｈであってもよい。
【００２０】
ミラーは、電圧源を備え、第１の軸方向セグメント内に第１の強度Ｅ２の第１の線形電場を生成するために第１の軸方向セグメントの電極に電位を印加し、第２の軸方向セグメント内に第２の強度Ｅ３の第２の線形電場を生成するために第２の軸方向セグメントの電極に電位を印加するように構成され得、電場強度の比率Ｅ３／Ｅ２は、Ｅ３／Ｅ２＝Ａ＊［０．７５＋０．０５＊ｅｘｐ（（４Ｘ３／Ｈ）−１）］、の関係によって距離Ｘ３に関連付けられ、ここで０．５≦Ａ≦２である。
【００２１】
この関係は、平面対称性を有するイオンミラーのためものであり得る。
【００２２】
比率Ｅ３／Ｅ２は、次のグループのうちの１つであり得る、（ｉ）０．２≦Ｘ３／Ｈ≦１のとき、０．８≦Ｅ３／Ｅ２≦２、（ｉｉ）１≦Ｘ３／Ｈ≦１．５のとき、１．５≦Ｅ３／Ｅ２≦１０、および（ｉｉｉ）１．５≦Ｘ３／Ｈ≦２のとき、Ｅ３／Ｅ２≧１０。
【００２３】
イオンミラーは、第１の軸方向セグメントよりもイオンミラーの入口端部からより遠くに配置された第３の軸方向セグメントを備え得る。ミラーは、第１の軸方向セグメント内に第１の強度Ｅ２の第１の線形電場を生成するために第１の軸方向セグメントの電極に電位を印加し、第３の軸方向セグメント内に第３の強度Ｅ１の第３の線形電場を生成するために第３の軸方向セグメントの電極に電位を印加するように構成された電圧源を備えることができ、ここで、Ｅ１＜Ｅ２である。ミラーは、第１の軸方向セグメント内の平均イオン転回点からミラー入口からより遠くにあるセグメント間電極までの軸に沿った距離（Ｘ２）が、０．２≦Ｘ２／Ｈ≦１になるように構成され得る。
【００２４】
イオンミラーは、電圧源を備え、第１の軸方向セグメント内に第１の強度の第１の線形電場（Ｅ２）を生成するために第１の軸方向セグメントの電極に電位を印加し、第２の軸方向セグメント内に第２の強度の第２の線形電場（Ｅ３）を生成するために第２の軸方向セグメントの電極に電位を印加するように構成され得、電極は、第２の線形電場（Ｅ３）が第１の軸方向セグメントに侵入するように構成され、それにより、第１の軸方向セグメントの軸方向部分における軸方向電場は、イオンの転回点が位置する場所で非線形である。
【００２５】
したがって、平均イオン転回点での軸方向電場強度（Ｅ０）は、第１の線形電場（Ｅ２）の第１の強度とわずかに異なる場合がある。
【００２６】
上記の電場は、ミラーの中心軸に沿った（すなわち、電極から離れた）軸方向電場であり得る。
【００２７】
第１の軸方向セグメント内の平均イオン転回点における軸方向電場強度Ｅ０は、以下を含むグループからの関係によって、第１の線形電場Ｅ２の強度に関連し得る、（ｉ）０．０１≦（Ｅ０−Ｅ２）／Ｅ２≦０．１、および（ｉｉ）０．０１５≦（Ｅ０−Ｅ２）／Ｅ２≦０．０３。
【００２８】
電極は、第２の線形電場（Ｅ３）が第１の軸方向セグメントに侵入するように構成され得、それにより、第１の軸方向セグメントにおける等電位場線は、イオンの転回点が位置する場所で湾曲する。
【００２９】
第１および第２の軸方向セグメントにおける異なる電場強度は、第１および第２の軸方向セグメント間の移行領域において湾曲した等電位場線を生成し得る。
【００３０】
第２の軸方向セグメントの電極は、軸に沿って実質的に同じ長さを有し得、これらの電極の隣接する対は、これらの電極が軸に沿ってピッチＰを有するように配置されるように、実質的に同じ間隔だけ離間され得る。複数の電極は、イオンが使用中に進行する、軸（Ｘ）に直交する平面（Ｙ−Ｚ平面）に窓を画定し得、窓は平面（Ｙ−Ｚ平面）において最小寸法Ｈを有する。高さに対する前記ピッチの比率は、Ｐ≦Ｈ／５によって与えられ得る。
【００３１】
イオンミラーの２つの軸方向セグメントについて説明されてきたが、イオンミラーは、３つ以上の軸方向セグメントを含み得る。
【００３２】
ミラーは、軸（Ｘ）に沿った方向で第１の軸方向セグメント（Ｅ２）に隣接する第３の軸方向セグメント（Ｅ１）を備えることができ、第３の軸方向セグメントは、軸（Ｘ）に沿って互いに離間された複数の電極を備える。
【００３３】
第３の軸方向セグメントは、第１の軸方向セグメントよりもイオンミラーの第１の軸方向端部（入口端部）からより遠くに配置され得る。
【００３４】
第３の軸方向セグメントの電極は、軸に沿って実質的に同じ長さを有し得、これらの電極の隣接する対は、これらの電極が軸に沿ってピッチＰを有するように配置されるように、実質的に同じ間隔だけ離間され得る。複数の電極は、イオンが使用中に進行する軸（Ｘ）に直交する平面（Ｙ−Ｚ平面）に窓を画定し得、窓は平面（Ｙ−Ｚ平面）において最小寸法Ｈを有する。高さに対するピッチの比率は、Ｐ≦Ｈ／５によって与えられ得る。
【００３５】
ミラーは、電圧源を備えることができ、第３の軸方向セグメント内に第３の強度の第３の線形電場（Ｅ１）を生成するために第３の軸方向セグメントの電極に電位を印加するように構成され得る。電極は、第３の線形電場（Ｅ１）が第１の軸方向セグメントに侵入するように構成され得、それにより、第１の軸方向セグメントの軸方向部分における軸方向電場は、イオンの転回点が位置する場所で非線形である。
【００３６】
したがって、平均イオン転回点での軸方向電場強度（Ｅ０）は、第１の線形電場（Ｅ２）の第１の強度とわずかに異なる場合がある。
【００３７】
軸に沿った第１の軸方向セグメントの長さは、≦５Ｈ、≦４Ｈ、≦３Ｈ、または≦２Ｈであり得る。
【００３８】
比較的短い第１の軸方向セグメントを提供することは、隣接する軸方向セグメントからの電場がイオンの転回点に侵入することを可能にする。
【００３９】
ミラーは、電圧源を備えることができ、第１の軸方向セグメント内に第１の強度の第１の線形電場（Ｅ２）を生成するために第１の軸方向セグメントの電極に電位を印加し、第２の軸方向セグメント内に第２の異なる強度の第２の線形電場（Ｅ３）を生成するために第２の軸方向セグメントの電極に電位を印加するように構成され、それにより、第１および第２の軸方向セグメント間の境界に不均一な軸方向電場を形成することができる。
【００４０】
本明細書に記載されている電極窓は、その中に位置するメッシュまたはグリッド電極を有していなくてもよい。イオンミラー全体は、その中に位置するメッシュまたはグリッド電極有していなくてもよい。
【００４１】
複数の電極（およびセグメント間電極）は、軸に沿って整列された開口を有する開口電極であってもよく、開口は窓である。開口は、長方形、円形、または別の形状であってよい。開口は、ミラー全体にわたって同じサイズおよび／または形状を有し得る。
【００４２】
あるいは、各軸方向セグメントは、電極の列を備えることができ、列は、反射軸に直交して離間されている。これらの列の各々は、軸に沿って互いに離間した複数の電極を含むことができる。列の電極は、使用中にイオンが進行する、軸（Ｘ）に直交する平面（Ｙ−Ｚ平面）に窓を画定する。平面（Ｙ−Ｚ平面）における窓の最小寸法Ｈは、列の間の距離に対応し得る。
【００４３】
ミラーは、電圧源を有することができ、第１の軸方向セグメント内に第１の強度Ｅ２の第１の線形電場を生成するために第１の軸方向セグメントの電極に電位を印加するように構成され得、４．３Ｕ０／Ｄ＜Ｅ２＜５Ｕ０／Ｄであり、ここでＵ０は、ミラーで反射されるイオンの平均エネルギーＫ０をそのイオンの電荷ｑで割ったものに等しく、Ｄは平均イオン転回点からミラーの１次エネルギー集束時間焦点までの距離である。
【００４４】
ミラーは、１５≦Ｄ／Ｈ≦２５となるように構成され得る。
【００４５】
ミラーは、入口レンズを備えることができ、入口レンズは、任意選択で、以下のグループのうちの１つを備える：（ｉ）加速レンズ、（ｉｉ）遅延レンズ、（ｉｉｉ）多段レンズ、（ｉｖ）細長いレンズ電極の両端に形成されたデュアルレンズ、および（ｖ）液浸レンズ。
【００４６】
軸方向セグメントの電位および寸法は、少なくとも完全２次の空間等時性および任意選択で次のリスト：（ｉ）少なくとも３次のエネルギー等時性、（ｉｉ）少なくとも４次のエネルギー等時性、（ｉｉｉ）少なくとも５次のエネルギー等時性、および（ｉｖ）少なくとも６次のエネルギー等時性、のエネルギー等時性ごとの高次時間に対して、特定の入口レンズごとに最適化されて、空間イオン集束を提供し得る。特定の次数の小さなエネルギー収差は、より高次の収差の部分的補償のために残留レベルのままにしておいてもよい。
【００４７】
軸方向セグメントは、薄い導電性電極を使用して作製され得、導電性電極は、金属、炭素充填エポキシ突起プロファイル、または導電性コーティング絶縁体のいずれかであってもよい。電極は、プラスチック、プリント回路基板（またはＰＣＢ基板）、エポキシ、セラミック、もしくは石英などの１つ以上の絶縁基板に取り付けられてもよく、または絶縁スペーサで固定されてもよい。
【００４８】
電極の位置決め精度と真直度は、絶縁基板のスロットもしくは複数の接続ピンのいずれかによって、または精密スペーサを使用することによって、および／または基板への電極取り付けでの技術的固定具によって改善され得る。
【００４９】
イオンミラーの電極の少なくともいくつかは、プリント回路基板（ＰＣＢ）の導電性ストリップである。
【００５０】
ＰＣＢ基板は、エポキシベースの材料、セラミック、石英、ガラス、またはテフロン（登録商標）のいずれかで作製され得る。
【００５１】
ＰＣＢには、帯電防止表面特性が備わっている場合がある。
【００５２】
これは、基板の残留コンダクタンス、基板上の導電線（電極以外の）によって、基板上の帯電防止もしくは抵抗コーティング（例えば、ＧオームからＴオームの範囲の）によって、または電極ストリップ間の間隔を＜１ｍｍに維持することによって提供される場合がある。
【００５３】
帯電防止コーティングは、導電性ストリップの上または下のどちらかに蒸着されてもよい。帯電防止コーティングは、次のグループのうちの１つによって生成されてもよい：（ｉ）導電性粒子でコーティングされた絶縁体（例えば、ポリマーまたは金属酸化物）を表面上に蒸着させる、（ｉｉ）ＳｎＯ２、ＩｎＯ２、ＴｉＯ２、またはＺｒＯ２などの低コンダクタンス材料で表面を（薄く）コーティングする、および（ｉｉｉ）中間ガス圧で表面をグロー放電に曝して、金属原子または金属酸化物分子をＰＣＢ表面上に蒸着させる。
【００５４】
ミラーは、最小寸法Ｈだけ離間された２つの平行なプリント回路基板を備えることができ、プリント回路基板は、軸に直交するＰＣＢ上に整列され、周期Ｐ≦Ｈ／５を有する導電性ストリップの周期構造の形態の複数の電極を備える。
【００５５】
ストリップは、上述のように抵抗チェーンによって相互接続されてもよい。
【００５６】
セグメント間電極は、ＰＣＢ上の導電性ストリップとすることができる。これらのセグメント間電極は、上述のように、少なくとも２つまたは３つの軸方向セグメントを形成し得る。
【００５７】
プリント回路基板は、導電性ストリップおよび／または帯電防止コーティング（例えば、１Ｇオーム／平方から１０Ｔオーム／平方の範囲の抵抗を有する）の間に平行な導電線の周期構造を提供することによって帯電防止特性を備えることができる。
【００５８】
導電性ストリップは、任意選択でトランスアキシャル電場を形成するために、ＰＣＢの平面内で湾曲されてもよい。
【００５９】
軸方向セグメントは、例えば、薄いエポキシ、テフロン、またはカプトンベースの基板のいずれかのようなフレキシブルプリント回路基板で形成されてもよい。
【００６０】
イオンミラーのトポロジーは、次のグループのうちの１つであってもよい：（ｉ）スリット窓を備えた２Ｄ平面ミラー、（ｉｉ）リング窓を備えた２Ｄ円形ミラー、（ｉｉｉ）Ｙ軸を中心に弧を描いた電極を有する２Ｄ円筒ミラー、および（ｉｖ）円形Ｚ軸で曲げられた弧。
【００６１】
いくつかの実施形態によれば、第１の軸方向セグメント（および／または他の軸方向セグメント）の電極は、軸に沿って同じ長さを有する必要はなく、および／またはこれらの電極の隣接する対は、実質的に同じ間隔で離間されなくてもよい。あるいは、または追加的に、これらの電極は、Ｐ≦Ｈ／５を満たす軸に沿ったピッチＰを有さなくてもよい。
【００６２】
別の態様から、本発明は、軸（Ｘ）に沿ってイオンを反射するためのイオンミラーを提供し、イオンミラーは、使用中にイオンの転回点が位置する第１の軸方向セグメントおよび第２の軸方向セグメントであって、第１および第２の軸方向セグメントが、軸（Ｘ）に沿った方向で互いに隣接している、第１および第２の軸方向セグメントと、第１の軸方向セグメント内に第１の強度の第１の線形電場を生成するために第１の軸方向セグメントの電極に電位を印加し、第２の軸方向セグメント内に  第２の強度の第２の線形電場を生成するために第２の軸方向セグメントの電極に電位を印加するように構成された電圧源と、を備え、電圧源および電極は、第２の線形電場が第１の軸方向セグメントに侵入するように構成され、それにより、第１の軸方向セグメントの軸方向部分の軸方向電場は、イオンの転回点が位置する場所で非線形となり、かつ、第１の軸方向セグメント内の平均イオン転回点での軸方向電場強度Ｅは、０．０１≦（Ｅ０−Ｅ２）／Ｅ２≦０．１の関係によって、第１の線形電場の強度Ｅ２に関連するように構成される。
【００６３】
この態様によるミラーは、上記および本明細書の他の場所で説明されている特徴のいずれか１つ、または組み合わせを有し得る。
【００６４】
例えば、関係は、０．０１５≦（Ｅ０−Ｅ２）／Ｅ２≦０．０３であり得る。
【００６５】
別の態様から、本発明は、軸（Ｘ）に沿ってイオンを反射するためのイオンミラーを提供し、イオンミラーは、イオンを受け取るための入口端部と、使用中にイオンの転回点が位置する第１の軸方向セグメント（Ｅ２）、および軸（Ｘ）に沿った方向で第１の軸方向セグメントに隣接する第２の軸方向セグメント（Ｅ３）と、イオンの反射を実行する電場を生成するためにイオンミラーの異なる電極に異なる電圧を印加するための電圧源と、を備え、少なくとも第１の軸方向セグメントは、軸に沿って離間されたセグメント間電極の間に画定され、セグメント間電極の各々は、電圧源のうちの１つが接続される電極であり、第１の軸方向セグメントは、軸（Ｘ）に沿って互いに離間し、かつセグメント間電極の間に配置された複数の電極を備え、複数の電極は、セグメント間電極に電気的に接続され、電子回路によって互いに相互接続され、それにより、電圧源がセグメント間電極に電圧を印加すると、これにより、複数の電極は異なる電位に維持され、電場を生成し、複数の電極は、使用中にイオンが進行する、軸（Ｘ）に直交する平面（Ｙ−Ｚ平面）に配置された窓を画定し、窓は平面（Ｙ−Ｚ平面）において最小寸法Ｈを有し、ミラーは、第１の軸方向セグメント内の平均イオン転回点からミラーの入口端部のより近くにあるセグメント間電極までの軸に沿った距離（Ｘ３）が、次のグループ、≦２Ｈ、≦１．５Ｈ、≦１Ｈ、≦０．５Ｈ、０．２Ｈ≦Ｘ３≦１．７Ｈの範囲、または０．１Ｈ≦Ｘ３≦１Ｈの範囲、から選択されるように構成されている。
【００６６】
この態様によるミラーは、上記および本明細書の他の場所で説明されている特徴のいずれか１つ、または組み合わせを有し得る。
【００６７】
別の態様から、本発明は、本明細書に記載されるような少なくとも１つのイオンミラー、イオンをイオンミラーに提供するためのイオン源、およびイオン検出器、を備える質量分析計を提供する。
【００６８】
質量分析計は、（ｉ）飛行時間型質量分析計、任意選択で、イオンミラー間でイオンを複数回反射するように配置された２つのイオンミラーを備える多重反射飛行時間型質量分析計、または（ｉｉ）静電型トラップ質量分析計、のいずれかであってもよい。
【００６９】
別の態様から、本発明は、本明細書に記載されるようなイオンミラーまたは分析計を提供することと、イオンミラーにイオンを供給することと、第１の軸方向セグメント（Ｅ２）内のイオン転回点でイオンを反射することと、イオンを検出ことと、を含む、質量分析の方法を提供する。
【００７０】
本方法は、本明細書に記載されている機能のいずれかを実行するように動作され得る。
【００７１】
本発明の実施形態は、グリッドレスイオンミラーの前例のないイオン光学品質に到達するためのイオンミラーの特定の範囲のイオン光学設計を提供し、２０％を超える非常に広いエネルギー拡散に対して１００，０００を超える質量分解能を提供することがわかっている。これは、飛行経路あたりより高い分解能を得るためにイオン源内により強力な抽出場を適用することによって、イオンパケットのいわゆるターンアラウンドタイムを改善することを可能にする。
【００７２】
改善は、新しい質的な実現−イオンミラーのエネルギー受容性は、イオン転回領域で弱い不均一性を有するイオン反射場を使用することによって改善される−に基づいており、軸方向の電場分布の制御されたわずかな湾曲は、最初に均一な場の開いた領域への外部場の侵入によって達成される。電場の制御された弱い不均一性は、飛行時間をイオンの転回点の位置とは無関係に広いエネルギー範囲に保つことを可能にし、一方、ラプラスの法則によって、軸方向場の非線形性はまた、等電位線の空間湾曲を生成し、空間および角度収差ごとの時間を改善する。
【００７３】
次に、セグメント電極に線形の電位分布を有する、すなわち、各セグメントが基本的に均一な場を個別に生成する、イオンミラー全体、または少なくともイオンミラーのオープン接続セグメントの反射部分を構築することによって、イオンミラーが改善される。セグメント間の電場侵入はわずかな電場湾曲を生成し、一方、厚い電極で構築されたグリッドレスイオンミラーの先行技術の設計では避けられない、電場強度および高次電場導関数の強い振動を発生しない。本発明の実施形態は、イオンミラー電場の所望の均一性およびわずかに制御された湾曲を形成するための様々な最適な形状および条件（スイートスポット）の範囲を提供する。好ましい実施形態は、そのような形状およびそのような電場の例を例証する。
【００７４】
線形電場セグメントの生成は、抵抗チェーンを分割することによってエネルギーを供給される狭いストリップ電極を使用して形成され得るので、アプローチは、イオンミラーを作製するＰＣＢの方法に完全に当てはまる。本発明の実施形態は、イオンミラーの内面に導電性ストリップを備えたＰＣＢボードを使用する。絶縁体の帯電を回避するために、内面は、抵抗または帯電防止コーティングによって、例えば、ＧオームからＴオームの範囲で、コーティングされてもよく、適度な技術的に妥当な均一性で十分である。あるいは、基板材料は、制限された基板コンダクタンスを生成するために制御された不純物で作製されてもよい。
【００７５】
新規のミラー電場はまた、抵抗チェーンで相互接続された個別の薄い電極フレームまたは電極ロッドで形成され得、これは、製造コストとアセンブリコストが高くなる理由で、あまり好ましくない方法と見なされるが、基板帯電のリスクは低減する。薄い電極の平行性をサポートするために、本発明の実施形態は、電極アセンブリでの溝の位置合わせまたは技術的治具の使用など、様々な構築方法および設計を提供する。
【００７６】
提案された作製方法は、表面漏れによる追加の制限をもたらす。ＰＣＢとプラスチックは１ｋＶ／ｍｍを超える電場強度で漏れ始め、安全な設計では５００Ｖ／ｍｍ未満の電場強度を維持する必要があり、超保守的な設計では３００Ｖ／ｍｍに低減される。本発明の実施形態は、イオン光学設計におけるこの限界を説明し、均一な電場セグメントを備えた高品質イオンミラーを形成する際のスイートスポットの形状および条件のサブセットを提案する。
【００７７】
改良されたイオンミラーは、平面および円筒対称で構築され得、静電型トラップ、オープンイオントラップ、およびＴＯＦ質量分析計など、様々な等時性静電型分析計に適用できる。平面バージョンは、複数の低コストのミラーをアレイに積み重ねることを可能にする。これらのアレイは、直交加速器のデューティサイクルを改善するため、および質量分析ですでに知られている様々な多重化スキームのために提案されている。
【００７８】
本発明の一態様によれば、飛行時間型、または多重反射飛行時間型、または等時性静電型トラップの質量分析計内に、等時性反射グリッドレスイオンミラーが提供されており、イオンミラーは、
（ａ）デカルトＸＹＺ座標内に、一組の平行な導電性電極を備え、電極は、ＸＹ平面に２次元の静電場を形成するために、イオン反射軸Ｘに直交して配向された相互に整列された窓を有するか、または形成し、窓の特徴的な最小横サイズＨは、リング電極の窓直径、または長方形窓のより小さいＹ寸法のいずれかとして画定され、
（ｂ）電極は、Ｅ２およびＥ３として示される少なくとも２つのセグメントにグループ化され、セグメントＥ２およびＥ３は隣接しており、メッシュを有さない、開いた窓を有する「結び目」電極によって分離されており、セグメント境界上の「結び目」電極に別個の電位が印加され、かつ、各セグメントの電極は、均一な抵抗チェーンで相互接続され、電極上の対応する電位勾配Ｅ２およびＥ３でセグメント内の電極に線形電位分布を形成し、セグメントＥ３は、Ｅ２セグメントの上流、すなわち、ミラーの出口により近い位置にあり、
（ｃ）Ｅ２セグメントを囲む「結び目」電極に印加される電位Ｕ２およびＵ３は、平均電位Ｕ０を含むように選択され、また、Ｘ軸の原点Ｘ＝０を定義し、Ｕ２＞Ｕ０＞Ｕ３、Ｕ０＝Ｋ０／ｑであり、ここでＫ０は平均イオンエネルギー、ｑはイオン電荷であり、これにより、平均イオン転回点がＥ２セグメント内に含まれることを確実にし、
（ｄ）印加電位は、セグメントＥ２およびＥ３に等しくない電位勾配を提供して、セグメントの境界に不均一な軸方向場を形成するように選択され、
（ｅ）少なくともＥ２セグメントでは、電極の厚さおよびＸ方向の間隔が均一であり、電極の空間周期ＰがＰ＜Ｈ／５であり、
（ｆ）イオン反射で高度な等時性および空間集束特性を提供するために、ミラーは次の一連の条件を満たし、
（ｉ）電場強度Ｅ２は、４．３Ｕ０／Ｄ＜Ｅ２＜５Ｕ０／Ｄであり、Ｄは平均イオン転回点から１次エネルギー集束時間焦点までの距離であり、
（ｉｉ）平均イオン転回点（Ｘ＝０、Ｕ＝Ｕ０）から最も近い下流の「結び目」電極平面までの距離Ｘ３（イオン転回点からイオンミラーの出口までの正のＸ方向の）は、平面鏡面対称の場合は０．２Ｈ＜Ｘ３＜１．７Ｈであり、円筒鏡面対称の場合は０．１Ｈ＜Ｘ３＜１Ｈであり、
（ｉｉｉ）電場強度の比率Ｅ３／Ｅ２は、平面対称のイオンミラーの場合、関係Ｅ３／Ｅ２＝Ａ＊［０．７５＋０．０５＊ｅｘｐ（（４ＸＴ／Ｈ）−１）］によってＸ３距離に関連付けられており、ここで、軸方向の電場分布の制御された非線形性を提供するために０．５＜Ａ＜２であり、イオンミラーのエネルギー受容性を高めることが実証されている。
【００７９】
好ましくは、比率Ｅ３／Ｅ２は、次のようにＸ３距離に関連付けられ得る、（ｉ）０．２＜Ｘ３／Ｈ＜１で０．８＜Ｅ３／Ｅ２＜２、（ｉｉ）１＜Ｘ３／Ｈ＜１．５で１．５＜Ｅ３／Ｅ２＜５、および（ｉｉｉ）１．５＜Ｘ３／Ｈ＜２でＥ３／Ｅ２＞５。好ましくは、ミラーは、セグメントＥ２の上流（負のＸ方向の）に位置し、メッシュを有さない開口窓を有する「結び目」電極によって隣接するセグメントＥ２から分離された、電場強度Ｅ１を有するＥ１セグメントをさらに含み得、Ｅ１＜Ｅ２であり、かつ、平均イオン転回点から分離「結び目」電極までの距離｜Ｘ２｜は、０．２＜Ｘ２／Ｈ＜１であり得る。
【００８０】
好ましくは、平均イオン転回点（Ｘ＝０）で軸方向電場分布の非線形性を提供し、このようにしてイオンミラーのエネルギー受容性を高めるために、Ｘ＝０、Ｕ＝Ｕ０、およびＥ＝Ｅ０の平均イオン転回点での軸方向電場強度Ｅ０が、Ｅ２セグメントのＥ２電位勾配とわずかに異なり得、平均イオン転回点を含み、周囲のセグメントＥ１およびＥ３の電場侵入により発生し、ここで、電場非線形性は、次のグループのうちの１つの範囲に含まれ得る：（ｉ）０．０１＜（Ｅ０−Ｅ２）／Ｅ２＜０．１、および（ｉｉ）０．０１５＜（Ｅ０−Ｅ２）／Ｅ２＜０．０３。
【００８１】
好ましくは、１５＜Ｄ／Ｈ＜２５である。
【００８２】
好ましくは、ミラーは、厚い電極によって、または壁に均一な電場を有するセグメントによって形成された入口レンズをさらに備えることができ、入口レンズは、次のグループのうちの１つを備えることができる、（ｉ）加速レンズ、（ｉｉ）遅延レンズ、（ｉｉｉ）多段レンズ、（ｉｖ）細長いレンズ電極の両端に形成されたデュアルレンズ、および（ｖ）液浸レンズ。好ましくは、セグメントの電位および寸法は、少なくとも完全２次の２次空間等時性および次のリスト、（ｉ）少なくとも３次のエネルギーの等時性、（ｉｉ）少なくとも４次のエネルギー等時性、（ｉｉｉ）少なくとも５次のエネルギー等時性、および（ｉｖ）少なくとも６次のエネルギー等時性、のエネルギー等時性ごとの高次時間に対して、特定の入口レンズごとに最適化されて、空間イオン集束に到達し得、特定の次数の小さなエネルギー収差は、より高次の収差の部分的な補償のために残留レベルのままにしておいてもよい。
【００８３】
好ましくは、接続された電源の数は、「結び目」電極間に接続された補助抵抗器を使用することによって低減され得、補助抵抗器の精度は、最適なシミュレートされた電場強度比Ｅ２／Ｅ１を維持するために０．１％またはそれより良く設定される。
【００８４】
好ましくは、セグメントは、金属、または炭素充填エポキシ突起プロファイル、または導電性コーティング絶縁体のいずれかの薄い導電性電極のスタックとして作製され得、電極は、側面絶縁プレート（プラスチック、プリント回路基板、セラミック、または石英）に取り付けられるか、または絶縁スペーサで固定され、電極の位置決め精度および真直度は、側面絶縁基板のスロット、または側面絶縁基板の取り付け穴への複数の接続ピンのいずれかによって、または電極固定用の精密スペーサを使用することによって、および／または基板への電極取り付けにおける技術的固定具によって改善され得る。
【００８５】
好ましくは、ミラー電極の少なくとも一部は、プリント回路基板上の導電性ストライプであり得、基板はエポキシベースの材料、セラミック、石英、ガラス、またはテフロンのいずれかで作製されており、帯電防止表面特性は、基板の残留コンダクタンスで、またはＧオームからＴオームの範囲の帯電防止もしくは抵抗コーティングで、またはストライプ間の間隔を＜１ｍｍに保つことによって調整され得る。
【００８６】
本発明の別の態様によれば、Ｘ方向にイオンを反射するためのイオンミラーが提供され、
（ａ）ＸＺ平面内で整列し、直交するＹ方向において距離Ｈだけ離間した２つの平行なプリント回路基板であって、基板は、エポキシ、セラミック、ガラス、石英、またはガラス基板のいずれかに形成されている、２つの平行なプリント回路基板、を備え、
（ｂ）プリント回路基板は、周期ＰがＨ／５未満である、Ｚ軸と整列した導電性ストライプの周期的構造を有し、
（ｃ）ストライプが均一な抵抗チェーンによって相互接続され、個々の電位が、選択された「結び目」導電性ストライプに印加され、境界を形成し、均一な電位勾配の少なくとも３つのセグメントに分離し、電位勾配は、セグメント間で異なり、
（ｄ）中間セグメントのＸの長さが２Ｈ未満であり、この中間セグメントの前記境界上の電位Ｕ２およびＵ３が、平均イオン特定エネルギーＵ０を含むように選択され、Ｕ２＞Ｕ０＞Ｕ３であり、
（ｅ）プリント回路基板は、導電性ストライプ間の平行な微細な導電線の周期的構造、および／または１Ｇオーム／平方から１０Ｔオーム／平方の範囲の抵抗を有する帯電防止コーティングのいずれかで形成された帯電防止機能を有する。
【００８７】
好ましくは、帯電防止コーティングは、導電性ストライプの上または下のいずれかに蒸着されてもよく、帯電防止コーティングは、次のグループの技術のうちの１つによって生成されてもよい：（ｉ）絶縁体（ポリマーまたは金属酸化物）でコーティングされた導電性粒子の表面に蒸着させる、（ｉｉ）ＳｎＯ２、ＩｎＯ２、ＴｉＯ２、またはＺｒＯ２などの低コンダクタンス材料で薄くコーティングする、（ｉｉｉ）中間ガス圧でグロー放電に曝して、金属原子または金属酸化物分子をＰＣＢ表面上に蒸着させる。
【００８８】
好ましくは、導電性ストライプは、トランスアキシャル電場を形成するためにＸＺ平面内で湾曲している。好ましくは、イオンセグメントは、薄いエポキシ基板、またはテフロン、またはカプトンベースの基板のいずれかであるフレキシブルプリント回路基板で形成され得、イオンミラーのトポロジーは、次のグループのうちの１つである：（ｉ）スリット窓を有する２Ｄ平面、（ｉｉ）リング窓を有する２Ｄ円形、（ｉｉｉ）Ｙ軸を中心に弧を描いた電極を有する２Ｄ円筒形、および（ｉｖ）円形Ｚ軸で曲げられた弧。
【００８９】
本発明の別の態様によれば、少なくとも２つのイオンミラーを有する多重反射飛行時間型質量分析計が提供され、分析計は、
（ａ）等しい高さのチャネル内に形成され、イオン反射のＸ方向において相互電場侵入のために互いに合体して開いている、ＸＹ平面内の均一な２次元電場の少なくとも２つのセグメント、を備え、
（ｂ）イオンエネルギー、セグメントの寸法および電場は、イオン転回点を侵入電場内に、最小のチャネル横寸法ＨのＮ口径未満だけ電場の境界から離れて位置付けすることを提供するように選択され、
（ｃ）Ｎは次のグループのうちの１つである：（ｉ）Ｎ＜２、（ｉｉ）Ｎ＜１．５、（ｉｉｉ）Ｎ＜１、および（ｉｖ）Ｎ＜０．５。
【００９０】
好ましくは、分析計は、次のグループのＺ方向に集束する等時性イオンパケットの１つの平均をさらに含み得る：（ｉ）ミラースタックの前のトランスアキシャルレンズ、（ｉｉ）イオンミラー内に配置されたトランスアキシャルレンズ、（ｉｉｉ）任意の空間集束手段による空間収差ごとの飛行時間を補償するための、イオンミラーのイオン反射領域における静電くさび。
【００９１】
好ましくは、少なくとも２つのイオンミラーは、イオンミラーアレイ内のすべてのイオン反射についてＹ方向のイオン軌道シフトを配置するためにＹ方向に相互にシフトされたイオンミラーの２つのアレイに構成され得る。
【００９２】
本発明の別の態様によれば、等時性イオンミラーの静電場を形成する方法が提供され、方法は次の
（ａ）均一な静電場を有する、開いた隣接するセグメントを形成するステップと、
（ｂ）セグメント内に異なる電場強度を形成して、セグメント間の移行領域に相互電場侵入および等電位線の湾曲を生成するステップと、
（ｃ）イオンの転回点がセグメントＥ２に現れるようにイオンエネルギーと電場強度と長さとを調整するステップと、を含み、ここで、高品質の等時性および反射場の広い空間的受容性を目的として、少なくとも１つの隣接するセグメントの電場侵入は、イオン反射点での電場Ｅ０に対して、次のグループのうちの１つの範囲で電場強度Ｅ２から逸脱して配置される：（ｉ）０．０１＜（Ｅ０−Ｅ２）／Ｅ２＜０．１，（ｉｉ）０．０１５＜（Ｅ０−Ｅ２）／Ｅ２＜０．０３。
【図面の簡単な説明】
【００９３】
以降に、様々な実施形態が、添付図面を参照しながら、例としてのみ説明されるであろう。
【図１】単一反射飛行時間型（ＴＯＦ）質量分析計のためのＳＵ１９８０３４の先行技術のグリッドで覆われたイオンミラーを示す。
【図２】多重反射ＴＯＦ（ＭＲＴＯＦ）質量分析計のためのＧＢ２４０３０６３の先行技術のグリッドレスイオンミラーを示す。
【図３】単一反射ＴＯＦのためのＵＳ６３８４４１０の先行技術のグリッドレスイオンミラーを示し、イオンミラーのイオン光学特性を示す。
【図４】セグメント間の相互電場侵入によってイオン反射領域にわずかな制御された非線形性および等電位湾曲を提供するための線形電位分布を備えた、開いたグリッドレスセグメントの合体に基づく、本発明の実施形態の改良されたイオンミラーの方法および設計を図示する。
【図５】２つのイオンミラーの軸方向および壁上の電位分布を提示し、均一な電場セグメントで構成される新規イオンミラーが、厚い電極で構成される従来のグリッドレスイオンミラーと比較されている。
【図６】図５のミラー間の電場強度および高次電場導関数の軸方向分布を比較して、新規イオンミラーでのより滑らかな電場とより小さい電場変動とを実証している。
【図７Ａ】均一な電場セグメントで構成される新規イオンミラーと厚い電極で構成される従来のグリッドレスミラーとの間のエネルギー曲線あたりの時間を比較し、新規イオンミラーでのエネルギー受容性の実質的な改善を示す。
【図７Ｂ】新規イオンミラーのエネルギー受容性をイオン平均転回点での正規化された電場強度の関数としてプロットし、高エネルギー受容性に到達するための電場パラメータの正確な選択の必要性を図示する。
【図８】レンズ部分によって異なる、３つの新規イオンミラーの壁上の電位分布を示す。
【図９Ａ】レンズ部分によって異なる、より多種多様な（図８に対して）最適化された新規イオンミラーのジェットのための物理パラメータおよび電場パラメータに注釈を付け、また、最適化された新規グリッドレスイオンミラーの「スイートスポット」パラメータの範囲を提示する。
【図９Ｂ】図９Ａと同じシミュレートされた一組のイオンミラーについて、イオン転回点での電場の非線形性の最適範囲を示し、かつ侵入電場の強度と深さとの間の関連性を提示する。
【図１０】複数の新規ミラーと先行技術の厚い電極イオンミラーの最良の例のエネルギー受容性を比較している。エネルギー収差ごとのゼロ以外の低次時間による等時性補正の有り無しのどちらの場合も、新規イオンミラーの方がエネルギー受容性は著しく高い。
【図１１】２つの電場セグメントで構成される新規イオンミラーの１つの特定の実施形態の電位分布を示し、エネルギー曲線ごとの時間を提示し、上記で提示された３つの電場セグメントで構成される新規イオンミラーと比較すると妥協したエネルギー受容性を実証している。
【図１２】精密な補助抵抗器を使用することによって電源の数を減らすことができることを示し、一方で、抵抗器の精度は、新規イオンミラーの改善されたエネルギー受容性を維持するために約０．１％でなければならない。
【図１３】抵抗チェーンで相互接続された薄い電極を使用し、電場セグメントを分離する「結び目」電極に電位を印加することによって、新規イオンミラーにセグメント化された電場を形成する一般的な方法を図示する。
【図１４】薄い電極で構築された新規イオンミラーの実施形態を示し、それらの薄い電極の整列および平行性を維持するための方法を提示する。
【図１５】プリント回路基板で構築された新規イオンミラーの実施形態を示し、絶縁基板上に帯電防止機能を生成する方法を図示する。
【図１６】長いイオンパケットによってイオン源をバイパスするための薄いグリッドレスイオンミラーの２つの対向するサイドスタックを備えた本発明の実施形態を示す。
【発明を実施するための形態】
【００９４】
先行技術のイオンミラー：図１を参照すると、ＳＵ１９８０３４の先行技術のグリッドで覆われたイオンミラー１０は、等しいサイズのリング電極によって形成された２つのミラーセグメント１１および１２（ステージとも呼ばれる）、上部キャップ電極１１Ｃ、異なる均一な電場Ｅ１およびＥ２の領域１１および１２を分離するための微細メッシュを有する「結び目」電極１３、電源１５−電極１３および１１Ｃに接続されたＵ１、Ｕ２およびＵＤ、ならびに電極セグメント１１および１２における線形電位分布のための抵抗チェーン１４、を備える。
【００９５】
ミラー１０は、ドリフトスペースＤ内の無電場（Ｅ＝０）状態を歪めることなく、セグメント１１および１２のコア容積に均一な電場Ｅ１およいＥ２を形成する。プロット１６は、電位分布を示し、１８は電極で、および１９はミラー軸での電位分布である。個々の電極間の電圧の小さな刻みは、電極から十分な距離でかなり滑らかになっており、通常、電極構造の空間周期に等しいと見なされる。エネルギー集束ごとに２次時間を提供するために、セグメントの長さに依存する、電場強度Ｅ１およびＥ２の最適な比率が存在する。最終的に短いステージ１２の場合、Ｕ２は電荷あたりイオン平均特定エネルギーの２／３である。ＴＯＦ  ＭＳ場で知られているように、ステージ１２が長くなると、電場強度の比率Ｅ２／Ｅ１はＥ２／Ｅ１＞＞１から約Ｅ２／Ｅ１＝１まで変化し、同時に、エネルギー受容性の段階的減少の代償として、メッシュ散乱でイオンを減少させる。グリッドで覆われたミラー１０は、並外れた空間的受容性を有し、すなわち、非常に広いイオンパケットで動作し得る。しかしながら、多重反射ＴＯＦに使用すると、メッシュを通過するイオンは、壊滅的なイオン損失を引き起こす。
【００９６】
図２を参照すると、ＧＢ２４０３０６３の先行技術のグリッドレス（グリッドフリー）イオンミラー２０は、多重反射ＴＯＦ（ＭＲＴＯＦ）ＭＳ用に設計されている。ミラー２０は、Ｌ１からＬＤまでの電極の厚さに匹敵する窓の高さＨ（電極窓のより狭い寸法に対応するＹ方向の）を有する一組の厚い長方形フレーム電極２３および２３Ｌ、ならびにＵ１からＵ４およびＵＤとして示される個々の電極に接続された一組の電源２５を備え、ＵＤはまた、ドリフトスペースＤの電位を画定する。プロット２６は、電位分布を示し、２８は電極付近、および２９はミラー軸の電位分布である。Ｈに匹敵する太い電極厚さにもかかわらず、ＷＯ２０１３／０６３５８７およびＷＯ２０１４／１４２８９７に記載されているように、電場のイオン光学最適化は、高次等時性−最大５次エネルギー等時性（ミラー１０の２次と比較）、ならびに空間、角度、およびエネルギーを含む、純粋な収差および混合項の収差の両方で、完全な３次等時性に到達することを可能にする。これらの強化されたグリッドレスイオンミラーは、空間的および角度的イオン集束と同時に、合理的な空間的、角度的、およびエネルギー受容性で優れた等時性を提供する。高次等時性は、Ｕ４をドリフト電位ＵＤと比較して、より誘引電位に設定することによって、誘引（加速）イオンレンズ２３Ｌが配置されている、グリッドレスイオンミラーの１つの重要な機能によって得られてきた。イオンミラー２０の欠点は、高い製造コスト、電極の真直度に関する厳しい要件、広いフリンジ場、そして中程度のエネルギー受容性である。
【００９７】
図３を参照すると、ＵＳ６３８４４１０の先行技術のグリッドレス（すなわち、グリッドフリー）イオンミラー３０は、図１のグリッド付きミラー１０のコピーであり、１つの違いはグリッドを除去していることである。ミラー３０は、薄いリング電極および上部キャップ電極３１Ｃによって形成された、２つのミラーセグメント３１および３２（ステージとも呼ばれる）、セグメント３１、３２の間の電極上の電圧勾配の領域と無電場ドリフトステージＤを分離する、境界「結び目」電極３３（メッシュを有さない！）、セグメント３１および３２の電極で線形電位分布を生成するための抵抗チェーン３４、ならびに電極３３および３１Ｃに接続される、Ｕ１、Ｕ２およびＵＤの電源３５を備える。ミラーは、セグメント１１と１２の内部容積内に均一な電場Ｅ１とＥ２を形成するが、図１とは異なり、セグメント境界に転移場Ｔ１とＴ２も有している。プロット３６は電位分布を示し、３８は電極、および３９はミラー軸における電位分布である。個々の電極間の電圧の小さな刻みは、ミラー軸でかなり滑らかになっている。ＵＳ６３８４４１０は、最適な比率
【数１】
2021518045.tif 000003
およびセグメント３１の奥深くに位置するイオン転回点での非常に均一な場を提案している。
【００９８】
ＵＳ６３８４４１０は、寸法および電圧の数値例を提供している。電極の形状および等電位線によって図示されるように、例示的なミラー３７のイオン光学特性を分析した。ミラーは、エネルギー集束ごとに２次時間を提供し、１Ｅ−５レベルの時間等時性で７％のエネルギー受容性を可能にする。本設計は、転移場Ｔ１およびＴ２の空間的な集束／集束解除を補償し（ＵＳ６３８４４１０で述べられているように）、これにより、Ｙ｜Ｙ＝１として表され得る非発散イオンビームを返す。しかしながら、最初に発散するイオンパケットを集束せず、空間収差Ｔ｜ＹＹごとに実質的な２次時間を生成し、ｄＴ／Ｔ＜１Ｅ−５の場合、パケット幅を５ｍｍ未満に制限し、角度発散を５ｍｒａｄ未満に制限する。両方の不足、すなわち角度集束の欠如と非常に小さな空間的受容性は、多重反射ＴＯＦおよびＥトラップへのミラー３０の使用を危うくする。
【００９９】
セグメント３１の反射場Ｅ１は、「結び目」電極３３から距離ＸＴだけ離れた、イオン転回領域で非常に均一であり得、これは、ＵＳ６３８４４１０で特に強調されている。数値例３７のシミュレーションは、電場Ｅ１が、イオン転回点ＸＴ＝２．５Ｄでのみ１Ｅ−６レベルで侵入することを確認し、ここで、Ｄは電極窓の直径Ｄ＝２５ｍｍである。イオン転回点の近くの均一な場は、イオンミラーのエネルギー受容性を大きく損なう。その上、電場の性質上、高度に均一な反射場は等電位線を反射する湾曲を持たないため、空間等時性を改善する手段を提供しない。イオン光学の分野で知られているように、レンズは常に正のＴ｜ＹＹ収差を生成する。ミラー３０は、Ｔ１およびＴ２場を有するレンズを形成するが、空間収差あたりの時間を補正する手段を有さない。ミラー３１に空間集束機能を追加すると（例えば、入口レンズＴ２を強くすることによって）、これらの時間収差はさらに増加する。このため、イオンミラー３０は、低イオン光学品質を有し、多重反射ＴＯＦ質量分析計および静電型トラップには適さない。
【０１００】
本発明の実施形態は、例えば、ＭＲＴＯＦおよびＥトラップ用のグリッドレスイオンミラーのイオン光学品質、設計、および製造技術を改善する。
【０１０１】
新規イオンミラーの原理：本発明の実施形態による多重反射ＴＯＦ（ＭＲＴＯＦ）およびＥトラップ質量分析計用に改良されたイオンミラーは、グリッドがなく、空間イオン集束を提供し、広いエネルギーおよび空間的受容性で高度に等時性である。
【０１０２】
ここで、イオンの転回点の近くの理想的な反射場は、場プロファイルＥ（ｘ）の最適な非線形性と、高品質イオンミラーの２つの機能：（Ａ）エネルギー収差ごとの高次時間の補償または最小化、（Ｂ）空間拡散収差ごとの時間の補償、を提供するためにＥ（ｘ）の非線形性によって引き起こされる等電位線の湾曲とを有している必要があることを述べる。イオンの転回点の領域における弱く不均質な電場強度分布は、グリッドレスイオンミラーの純粋に均質な電場および高度に不均質な電場の両方よりも、エネルギーに関して飛行時間のはるかに優れた独立性につながる。
【０１０３】
発明者は、均一な場の開いた領域を合体することにより、先行技術と比較してイオンミラーの品質を改善できることを見出し、そこでは、セグメント間の相互電場侵入が、イオン転回点に単調でほぼ均一な反射場を生成することを可能にし、高次のエネルギー集束とより広いエネルギー受容性を提供するために制御された最適な非線形性（数パーセントの）を備えており、また空間等時性を提供することも伴っている。さらにより優れたイオン光学品質のために、イオン反射セグメントの長さを制限して、両端からの十分な電場侵入を可能にする必要があり、このようにして、エネルギーの受容性を最大化する。
【０１０４】
図４を参照すると、本発明のイオンミラー４０の一実施形態は、距離Ｈだけ離間した２つの平行で同一の列４６を備える。各列４６は、Ｘ軸に沿って離間した複数の薄い（＜＜Ｈ）導電性電極を備える。模式図４０は、模式図４０において円で囲まれた列４６の一部分の拡大図を示す。個別の電位Ｕ１、Ｕ２、Ｕ３などが、離間した電極の異なる電極に印加される。これらの電極は、本明細書では「結び目」電極４４（またはセグメント間電極）と呼ばれ、イオンミラーの軸方向セグメント４１、４２、４３などの軸方向境界を画定する。各軸方向セグメントは、「結び目」（またはセグメント間）電極の間に配置された複数の電極を含む。これらの複数の電極は、抵抗チェーン４５によって互いに相互接続されており、軸方向端部の電極は、抵抗チェーンによって隣接する「結び目」電極に接続されている。そのようにして、電位Ｕ１、Ｕ２、Ｕ３などが「結び目」電極４４に印加されると、これにより、電位がそれらの間の複数の電極に印加される。このため、この構造は、電極列４６に沿って個々の線形電場強度Ｅ１、Ｅ２、Ｅ３などを有する、一組の開いて合体された軸方向セグメント４１、４２、４３などを形成する。電極は、Ｘ軸に沿って実質的に同じ長さを有し得、これらの電極のすべての隣接する対は、これらの電極がＸ軸に沿って特定のピッチＰで空間的に配置されるように、実質的に同じ間隔だけ離間され得る。
【０１０５】
本明細書で説明される軸方向セグメントは、それらの電場Ｅｉによって示され得る。
【０１０６】
開いて合体されたセグメント４１、４２、４３などの構造は、ミラー対称軸（Ｙ＝０、つまり電極から離れた位置）に電位分布Ｕ（ｘ）４７を形成し、個々のセグメントの軸方向中央部にほぼ均一な場を有し、セグメント境界に転移場を有する。電位分布４７は、セグメントＥ１からＥ４における反射場によってＸ方向に等時性イオン反射を提供するように、Ｙ方向における空間イオン集束のためのセグメントＥ５の周りの加速レンズによって特徴付けられる。
【０１０７】
静電場の同じ構造を生成するために、代替の電極構造が使用されてもよい。これらの構造は、長方形または円形の窓を有する一組の薄い電極、導電性ストライプと高オーミック帯電防止コーティングを備えた一対の平行なプリント回路基板（平面のセラミック、エポキシもしくはテフロンのＰＣＢ、または円筒状に巻かれたフレキシブルカプトンＰＣＢ）、結び目電極用の導電性ストライプを有する一対の抵抗プレート（または円筒）、または導電性ストライプによってセグメントに分離された抵抗性コーティングを有する絶縁（平面または円筒の）支持体、を備えてもよい。所望の微細電極構造を形成するために複数の既知の技術を使用できることを理解しながら、本発明の実施形態は主に、イオン転回領域に近い静電場の最適な非線形性４８および最適な湾曲４９を形成するための所望の静電場自体の特性に関係する。
【０１０８】
イオン平均転回点は、ミラー軸での電位Ｕ＝Ｕ０＝Ｋ０／ｑによって画定され、平均運動エネルギーＫ０  および電荷ｑを備えたイオンの完全停止に対応する。実施形態４０において、電場Ｅ２を有する１つのコアセグメント（第１の軸方向セグメント４２）を他と区別し、ここで平均エネルギーのイオンが転回され、Ｕ２＞Ｕ０＞Ｕ３である。本発明の実施形態の重要な特徴は、Ｅ２セグメント（４２）への、特に（Ｘ＝０の）イオン転回点の位置への、（第２および第３の軸方向セグメント４１、４３からの）周囲の均一場Ｅ１およびＥ３の制御された侵入である。イオン光学モデリングでわかったように、イオン転回点の位置へのＥ２セグメント（４２）内への（第２の軸方向セグメント４３からの）Ｅ３電場の侵入により、イオンミラーのイオン光学品質が向上し得る。これは、次の両方を提供する：（ａ）アイコン４８に示すように、Ｅ（ｘ）曲線のわずかな制御された非線形性、および（ｂ）アイコン４９に示すように、最適なＸ＝０でイオンの転回点を囲む領域内の等電位線の空間湾曲。非線形性４８および湾曲４９の両方は、静電場の性質によって相互に関連している。Ｅ３場の最適な侵入は、Ｅ（ｘ）変動＝（Ｅ０−Ｅ２）／Ｅ２の約１〜３％に対応する。換言すれば、イオン転回点（Ｘ＝０）の位置へのＥ２セグメント（４２）内への電場の侵入により、その点Ｅ０における電場をＥ２の約１〜３％だけＥ２から異ならせ得る。さらに別の電場Ｅ１を（第３の軸方向セグメント４１から）、イオン転回領域の位置へＥ２セグメント（４２）内へ侵入させることで、イオン光学品質のさらなる向上を可能にし、Ｅ２セグメント内の電場非線形性をより柔軟に制御する。したがって、Ｅ１および／またはＥ３場は、イオン転回領域に侵入するように引き起こされ得る。
【０１０９】
新規および先行技術のグリッドレスミラーの比較：図５を参照して、図２の先行技術のミラー２０と図４の例示的な新規のイオンミラー４０との間で電場分布を比較する。ミラー２０の個々の厚い電極は、電極壁に階段状電位（Ｕステップ）分布５２を画定し、静電場の性質によって、軸で軸方向分布５４へ平滑化される。実施形態による、ミラー４０の電極上に電場強度Ｅのステップ（Ｅステップ）を形成するセグメント化線形電位分布５３は、軸方向分布５５により近い初期近似を提供し、このため、より滑らかな軸方向分布５５を形成する。
【０１１０】
軸方向分布５４と５５との違いは、大まかなスケールではほとんど見えない。しかしながら、１つの違いを強調すると：実施形態によるイオンミラー４０の軸方向電位分布５５は、Ｕ／Ｕ０＝１でのイオン転回点付近ではるかに線形であり、すなわち、イオン転回点での電場強度変動Ｅ／Ｅ０は、厚い電極で構築された先行技術のミラー２０と比較して、はるかに小さくより単調である。
【０１１１】
図６を参照すると、ミラー２０および４０の軸方向Ｕ（ｘ）分布５４および５５の間の上記の違いは、電位分布Ｕ（ｘ）の高次導関数−電場強度Ｅ（Ｘ）＝ｄＵ／ｄＸ、すなわち１次ｄＥ／ｄＸ、２次ｄ２Ｅ／ｄＸ２および３次ｄ３Ｅ／ｄＸ３の電場導関数、を見るとより明らかになり、特定の（電荷への）平均イオンエネルギーＵ０およびイオン転回点から時間焦点への距離Ｄ（Ｄは図４に示されている）に正規化されている。破線は、厚い電極からなる先行技術のミラー２０に対応し、図ではＵステップとして示される壁電位のステップを生成する。実線は、本発明の実施形態によるミラー４０で得られるセグメント化された線形電位分布に対応し、図ではＥステップとして示されている。グラフから明らかなように、新規ミラー４０の階段状Ｅは、Ｘ＝０でイオン転回点の周りの電場強度Ｅ／Ｅ０の変動をより小さくし、先行技術の階段状Ｕのミラー２０と比較して、高次電場導関数の単調ではるかに滑らかな分布を達成する。
【０１１２】
図７Ａを参照すると、プロット７１は、凡例７１に示されるように、階段状壁電位（ステップＵ）を有する先行技術のミラー２０について、および電極上に階段状電場強度（ステップＥ）を有する実施形態のイオンミラー４０について、イオンエネルギー曲線あたりの飛行時間（Ｔ−Ｔ０）／Ｔ０対（Ｋ−Ｋ０）／Ｋ０を比較している。階段状Ｕの曲線７２は、１Ｅ−５レベルの等時性でΔＫ＝６％のエネルギー受容性を有するエネルギー集束あたりの３次時間に対応する。階段状Ｅの曲線７４は、１Ｅ−５レベルの等時性でΔＫ＝１４％のエネルギー受容性を有するエネルギー集束あたりの４次時間に対応する。ミラーの電位を微調整すると、階段状Ｕの曲線７３および階段状Ｅの曲線７５によって示されるように、より広いエネルギー受容性に到達するために、エネルギー収差（図の凡例７１に示されている）あたりの低次時間に対してマイナー残差係数を残すことを可能にする。次に、階段状Ｕを有するミラー２０は、ΔＫ＝９％のエネルギー受容性を提供し、一方、ミラー４０は、より大きなΔＫ＝２２．５％のエネルギー受容性を提供する。このため、階段状電場強度Ｅを有する実施形態のイオンミラーは、実質的に（２．５倍）より広いエネルギー許容性を提供する。ＴＯＦ  ＭＳの専門家は、ＴＯＦ分析計のエネルギー受容性が加速器で使用可能な最大電場強度を制限し、その結果、達成される最小のターンアラウンドタイムを制限し、現在ＴＯＦ  ＭＳにおける分解能の主要な制限となっていることを認識している。このため、より広いエネルギー受容性は、ＭＲＴＯＦにおいて飛行経路あたりの分解能にほぼ直接変換され、ＭＲＴＯＦでは、新規イオンミラーは、飛行経路あたり２．５倍高い分解能を得ることが期待されている。
【０１１３】
図７Ｂを参照すると、プロット７５は、図４の注釈を使用して、１Ｅ−５レベルの等時性でのエネルギー受容性ΔＫ／Ｋを、Ｘ＝０、Ｅ＝Ｅ０、およびＵ＝Ｕ０のイオン平均転回点での正規化された電場強度Ｅ０Ｄ／Ｕ０の関数として提示している。最適値は、Ｅ０Ｄ／Ｕ０変動の約＋／−１％以内で観察される。このため、セグメント化された電場で構築されたイオンミラー４０は、とりわけエネルギー受容性ΔＫ／Ｋを改善するが、それらの電場構造およびパラメータは、正確に設定および制御されるものとする。本発明の実施形態は、セグメント化された電場と最適な「スイートスポット」ミラーパラメータとの組み合わせを提供する。
【０１１４】
図６を再び参照して、図７で得られたエネルギー受容性の改善を図６の場構造に関連付けて、直観的な説明を提供する。先行技術の厚い電極イオンミラー２０内の壁電位のステップ（図６のＵステップ）は、図７の曲線７２に見られるように、Ｘ＝０でのイオン平均転回点のごく近傍において、所望の電場特性に到達し、複数の時間収差を補償することを可能にする。これは、Ｘ＝０およびＵ＝Ｕ０でイオンの転回点を囲む厚い電極からの最適化および調整された電場侵入によって達成される。しかしながら、場の性質上、階段状Ｕのこのような侵入は、転回点の周りのやや広い領域においてより大きな場変動と非単調な高次電場導関数とを生成し、このため、イオン転回点のより長いスパンに対応する、イオンパケットのより広いエネルギー拡散のための所望のイオン光学特性を維持しない。対照的に、壁に階段状電場強度Ｅを有する本発明の実施形態によるイオンミラー４０は、イオン転回点Ｘ＝０のより広い近傍において、最初一定の電場強度
【数２】
2021518045.tif 000004
を生成し、一方、周囲の電場セグメントからの電場侵入は、場の不均一性および等電位線の湾曲の望ましい最適な度合いを追加することを可能にし、それにより、時間収差が補償されるイオン反射点のより広い空間スパンを提供し、こうして、イオンミラーのより広いエネルギー受容性を提供する。
【０１１５】
新規ミラーの最適化：本発明の実施形態によるイオンミラーの分析および最適化を加速するために、発明者は、高さＨを有する平面２次元ギャップにおける電場Ｅ（ｘ）の軸方向分布の分析式を考え出し、ここで電場強度Ｅ１およびＥ２を有する２つのセグメントが、Ｘ＝０で開いて合体される。
Ｅ（ｘ）＝Ｅ１＋（Ｅ２−Ｅ１）＊（２／π）＊ａｒｃｔａｎ（ｅｘｐ［−π＊ｘ／Ｈ］）
｜Ｘ／Ｈ｜＞０．１では、式は次式で近似され得る。
Ｅ（ｘ）＝Ｅ１＋（Ｅ２−Ｅ１）＊（２／π）＊ｅｘｐ（−πＸ／Ｈ）＊［１＋１／３＊ｅｘｐ（−２πＸ／Ｈ）＋１／５＊ｅｘｐ（−４πＸ／Ｈ）］
分析式があると、イオン光学シミュレーションおよび最適化手順が大幅に加速する。入口レンズによって異なる様々なミラーシステムに対して、一組の大規模な低次および高次の時間および空間収差を最適化しながら、チャネル高さＨ、セグメント長Ｌｉ、および壁でのセグメント電場強度Ｅｉのパラメータを変更できるようになった。
【０１１６】
最適化基準：最適化手順において、空間イオン集束（１回の反射あたりＹ｜Ｙ＝０）、エネルギー項あたりの低次またはゼロ次の高次時間での、エネルギー（Ｔ｜Ｋ＝Ｔ｜ＫＫ＝Ｔ｜ＫＫＫ＝０）収束あたりの少なくとも３次時間、クロス項を含む、空間、角度、およびエネルギーの収差あたりの少なくとも２次時間の完全な補償、ならびに約１Ｅ−５レベルの等時性でのモデルイオンミラーのより広い空間的および角度的受容性、を含む許容基準を設定した。
【０１１７】
様々な新規ミラー：空間的イオン集束を提供するために、本発明の実施形態によるミラーは、好ましくは誘引電位｜ＵＬ｜＜｜ＵＤ｜にある入口レンズを有し得、それは単段レンズ、または多段レンズ、または液浸レンズのいずれかであり得る。入口レンズ部分は、厚い電極の階段状電場セグメントのいずれかで形成することができる。本発明の実施形態によるミラーの反射場は、セグメント化電場（階段状Ｅ）で構築され、特定の入口レンズごとに個別に最適化された。最低の収差および最高のエネルギー受容性のためにそれらのイオンミラーを最適化する場合、イオンミラーのレンズ部分を変えると、ミラー反射部分の微調整につながる。
【０１１８】
図８を参照すると、ダイアグラム８０は、階段状電場（ステップＥ）反射部分を有する本発明の実施形態によるイオンミラーの別の３つの変形形態の電極壁での電位分布（Ｕ／Ｕ０）ＶｓＸ／Ｄを提示する。プロット８１は、セグメント化された電場（階段状Ｅ）で形成された加速レンズを備えたイオンミラーに対応し、８２は、厚い電極（階段状Ｕ）で形成された長い加速レンズを備えたイオンミラーに対応し、および８３は、セグメント化された電場（階段状Ｅ）で形成された減速レンズを備えたイオンミラーに対応する。明らかに、イオンミラーの反射部分の電場Ｅ１およびＥ２で示される２つの電場セグメントは、３つすべての変形形態で非常に似ている。
【表１】
2021518045.tif 000005
【０１１９】
スイートスポット：新規イオンミラーのレンズ部分を変化させ、イオンミラーの収差を最適化し、電場セグメントのパラメータを分析することで、次の結論とルールに到達した。
１．定性的ルール：
・セグメント化された電場で構成されたイオンミラーは、先行技術の厚い電極ミラーよりも実質的優れたイオン光学品質に到達することを可能にする。特に、本発明の実施形態によるミラーは、約２倍大きいエネルギー受容性を提供し、それは、空間イオン集束や高（１Ｅ−５）等時性での広い空間的受容性など、厚い電極ミラーの他の特性を損なうことなく、または適度に損なうことなく、飛行経路ごとのＭＲＴＯＦ分解能の強力な改善を可能にする。
・本発明の実施形態によるイオンミラーの最適条件は、イオン転回点を含むセグメントの電場Ｅ２が、主に、より強い電場Ｅ３の侵入によって生成される数パーセントの範囲の弱い電場非線形性（Ｅ０−Ｅ２）／Ｅ２を有するときに現れる。次に、そのようなミラーは、「最適化基準」セクションにリストされているすべての望ましい特性を提供し、先行技術の厚い電極ミラーと比較してエネルギー受容性の実質的な改善を提供する。
・Ｅ２領域のイオン転回点付近の電場の最適な非線形性は、上流（つまりミラーの入口／出口の方）の隣接するセグメントＥ３からの電場の弱い侵入によって得られ、下流の電場セグメントＥ１の侵入によって、さらなる改善が得られる。
・イオン転回点の周りに均一な電場セグメントを使用することが重要であるが、イオンミラーの残りの部分は、均一な電場セグメントで構成されてもよく、従来の厚い電極を使用してもよい。レンズ部は、イオンミラーの特定の要件に応じて選択され得、ここで、（ａ）加速レンズは、イオン平均運動エネルギーに正規化された、最高のエネルギー受容性を提供し、（ｂ）減速レンズは、同じ最大ミラー電圧だが、特により高いイオン運動エネルギーで、同じ絶対エネルギー受容性を提供することができ、（ｃ）より長い、多段式の液浸レンズは、レンズの高次の複雑さを犠牲にして、空間収差ごとの時間を短縮し、（ｄ）セグメント化された電場で構築された同様のレンズは、より低い絶対電圧を必要とし、より小さな収差を提供する。
【０１２０】
２．平面対称の２次元（２Ｄ）ミラーのスイートスポットパラメータ。正確な最適パラメータは、異なる入口レンズを備えたイオンミラー間でわずかに変動する場合があるが、図９に図示するように、すべてのシステムは以下に説明するパラメータの範囲に分類される。
・イオン反射セグメントＥ２に必要な電極密度は、生成される電場の滑らかさを１％よりも良くサポートする必要があり、これは、Ｅ２セグメントの薄い電極間の周期が窓の高さＨ：Ｐ＜Ｈ／５の０．２未満の場合に達成される。
・イオン転回点での反射場Ｅ０の最適な強度は、特定の（電荷あたりの）イオン平均エネルギーＵ０＝Ｋ０／ｑ、および４．３＜Ｅ０＊Ｄ／Ｕ０＜５としてのイオン転回点から時間焦点までの距離Ｄに関連付けられている。
・イオンミラー窓の最適な高さＨは距離Ｄ：０．０４＜Ｈ／Ｄ＜０．０６に関連し、０．０４５＜Ｈ／Ｄ＜０．０５５の範囲で最良の結果が得られる。
・イオンの転回点Ｘ＝０における電場Ｅ２の有用な（改善されたエネルギー受容性のための）非線形性（Ｅ０−Ｅ２／Ｅ２）｜Ｘ＝０は、０．１％〜１０％であり、０．５％〜５％の範囲でより良い結果が得られ、１％〜２％の範囲で非常に最良の結果が得られる。
・イオン転回点（Ｘ＝０）から結び目電極（セグメント間電極）Ｕ３までの距離Ｘ３は、図９Ｆに示すように、望ましい電場侵入に到達するため、およびＥ２電場セグメントにおける場の非線形性の望ましい範囲のために、電場の比率Ｅ３／Ｅ２（ここでＥ３＞Ｅ２）に関連しているように見える。
・図８のＥ２およびＥ３に示すように、少なくとも２つの電場セグメントを使用するとき、エネルギー受容性はすでに向上しているが、Ｅ１＜Ｅ２でセグメントＥ１を追加すると、エネルギー受容性をさらに向上させる。通常、最適なＥ２／Ｅ１比は１．０１〜１．１の範囲で変化し、最良の結果は１．０２〜１．０５の範囲で得られる。
【０１２１】
図９を参照すると、上述のスイート「スポットルール」が、スキーム９０に提示されている注釈（図４の注釈とも一致している）と共に、一組のダイアグラム９１〜９９によって図示されている。シミュレーションは、図面にＥステップとして示され、電場セグメントＥ１、Ｅ２、Ｅ３で構成される、いくつかの新規イオンミラーについて行われた。レンズ部は、ミラーの変形形態の間で変えられ、シミュレートされたケースは、短いレンズと長いレンズ、加速レンズと減速レンズ、厚い電極とセグメント化された場レンズを含んだ。様々なシミュレートされたイオンミラーのパラメータは、窓の高さＨ、イオンの転回点から時間焦点までの距離Ｄ、およびイオンの転回点の電位Ｕ０（接地されたドリフト領域を想定）に正規化された。冒頭で言及した、いくつかの先行技術の厚い電極（Ｕステップ）イオンミラーについても、同様の正規化が行われた。
【０１２２】
ダイアグラム９１は、新規のイオンミラー（Ｅステップ）９２および先行技術の厚い電極ミラー（Ｕステップ）９３のイオン転回点Ｅ０Ｄ／Ｕ０における正規化された電場強度を示す。データ点は比率Ｘ２／Ｈによって整列され、これは、厚い電極システムでは画定できず、表示の目的のために０に設定されている。Ｅ０Ｄ／Ｕ０は、厚い電極ミラーについては大きく変わる場合があるが、新規ミラーについては、最適範囲は狭く、明確に画定されており、４．５＜Ｅ０Ｄ／Ｕ０＜５であり、ほとんどの点がＥ０Ｄ／Ｕ０＝４．６の周りに群がっている。結果は、すべての新規ミラーがイオン反射部において同様の最適な電場分布を再現することを意味している。
【０１２３】
ダイアグラム９４は、新規のイオンミラー（Ｅステップ）９５について、および先行技術の厚い電極ミラー（Ｕステップ）９６について正規化された窓高さＨ／Ｄを示している。データ点は比率Ｘ２／Ｈによって整列されている。Ｈ／Ｄ比は、厚い電極ミラーについては大きく変わる場合があるが、新規ミラーについては、最適範囲は狭く、明確に画定されており、０．０４＜Ｈ／Ｄ＜０．０６であり、ほとんどの点がＨ／Ｄ＝０．０５５の周りに群がっており、再び、新規ミラーがイオン反射部において同様の最適な電場分布を再現することを意味している。
【０１２４】
ダイアグラム９７は、イオン平均転回点（Ｘ＝０）での新規イオンミラーの電場非線形性（Ｅ０−Ｅ２）／Ｅ２をプロットしており、Ｘ２／Ｈ比で整列されている（ダイアグラム９１および９４と同じ）。プロットは、本発明の中心点を図示しており、電場セグメントで構成された新規のイオンミラーは、エネルギー受容性の顕著な改善を提供するために、イオンの転回点で非ゼロの最適非線形性を有する必要がある。新規ミラーのすべてのシミュレートされたケースについて、反射場の非線形性の有効範囲は０．０１＜（Ｅ０−Ｅ２）／Ｅ２＜０．０４に現れる。すべてのシミュレートされたケースのエネルギーおよび角度的受容性を比較すると、最良の結果は、０．０１５＜（Ｅ０−Ｅ２）／Ｅ２＜０．０３の範囲で得られる。
【０１２５】
ダイアグラム９７および９８は、ダイアグラム９７の最適非線形性に到達するために、周囲電場のステップが相互電場侵入の深さに関連付けられることを図示している。ダイアグラム９８によれば、Ｅ１セグメントの電場強度はＥ２よりわずかに小さくなければならず、Ｅ１＜Ｅ２、１．０２＜Ｅ２／Ｅ１＜１．０８となる。Ｅ２−Ｅ１ステップは、より深い電場侵入Ｘ２／Ｈで大きくなる。侵入深さＸ２／Ｈの有効範囲は、０．８に制限されている。
【０１２６】
ダイアグラム９９によれば、電場強度Ｅ３は一般にＥ２より大きくなければならず（Ｅ３＞Ｅ２）、Ｅ３／Ｅ２比は、実験式：Ｅ３／Ｅ２＝［０．７５＋０．０５＊ｅｘｐ（（４Ｘ３／Ｈ）−１）］によって侵入深さＸ３／Ｈに関連付けられており、つまり、Ｅ３／Ｅ２はＸ３／Ｈの侵入が深くなるにつれて大きくなる。侵入深さＸ３／Ｈは１．７に制限されている。
【０１２７】
侵入深さＸ３／Ｈが小さいいくつかの例外的なケースでは、Ｅ３はＥ２よりも若干小さくなることがあり、この場合、イオン転回点での電場強度の非線形性の適切な兆候が、次の（第４の）セグメントからの電場Ｅ４の侵入によって提供される。このため、最も一般的なケースでは、電場強度の比率Ｅ３／Ｅ２は、Ｅ３／Ｅ２＞０．８であり、関係Ｅ３／Ｅ２＝Ａ＊［０．７５＋０．０５＊ｅｘｐ（（４Ｘ３／Ｈ）−１）］によってＸ３距離に関連付けられ、ここで、軸方向電場分布の制御された非線形性を提供するために０．５＜Ａ＜２であり、イオンミラーのエネルギー受容性を高めることが実証されている。
【０１２８】
上記の提示されたグラフと経験則から、すべてのシミュレートされたケースにおいて、新規のイオンミラーがイオン反射場の同様の構造を再現することがわかり、イオン転回点Ｘ＝０での弱いが制御された電場非線形性０．０１＜（Ｅ０−Ｅ２）／Ｅ２＜０．０４によって特徴付けられる。この非線形性は、Ｅ１およびＥ３の電場を有する隣接する電場セグメントからの電場侵入によって達成され、ここで、電場強度Ｅ１／Ｅ２およびＥ３／Ｅ２におけるステップは、イオンミラーのエネルギー受容性を改善するための電場侵入Ｘ２／ＨおよびＸ３／Ｈの深さと関連しているように見える。
【０１２９】
図１０を参照すると、エネルギー受容性ΔＫ／Ｋ０が、新規のイオンミラー（Ｅステップ）および最もよく知られている先行技術の厚い電極ミラー（Ｕステップ）について提示されている。分析した一組のイオンミラーは、図９で使用したものと一致する。
【０１３０】
図７と同様に、エネルギー受容性は、正確にゼロのＴ｜Ｋ（ｎ）収差で計算され（１０１および１０３）、意図的に残された小さな残留低次収差の場合（１０２および１０４）、所与のレベルの等時性で、ここではΔＴ／Ｔ＝１Ｅ−５レベルで、エネルギー受容性を最大化する。図９のグラフと同様に、データ点はＨ２／Ｈで整列されている。新規ミラー（Ｅステップ）のエネルギー受容性は、非補償の場合および補償された場合の両方で、先行技術の厚い電極システム（Ｕステップ）よりも約２倍高いことがわかる。また、新規のミラーは、小さいＸ２／Ｈまたは小さいＸ３／Ｈのいずれか（Ｘ２／Ｄ＜０．３またはＸ３／Ｄ＜０．３のいずれか）で、（より高いエネルギー受容性ΔＫ／Ｋ０のために）最適化することも明らかであり、イオン平均転回点が、イオン転回点（Ｘ＝０）で反射場の十分な非線形性および湾曲を提供するために、少なくとも１つの電場境界に近接している必要があることを意味している。
【０１３１】
図９に提示されているスイートスポットパラメータの範囲は、新規イオンミラーのイオン光学品質に対する要件を緩和する場合、多少広くなり得ることを理解する必要がある。図１１と図１２は、電源の数を減らした、妥協した新規イオンミラーのケースを提示している。図１６は、相対幅Ｈ／Ｄが減少し、ミラー収差間のバランスが異なる、妥協した新規イオンミラーのケースを提示している。
【０１３２】
２つの反射セグメント：図１１を参照すると、グラフ１１０は、簡略化された新規ミラーの電位分布Ｕ（ｘ）／Ｕ０対Ｘ／Ｄを示し、曲線１１１は電極での、および曲線１１２は対称軸（Ｙ＝０）での、電位分布である。簡略化された新規ミラーは、高電圧源の数を３つに減らすために、より少ない電場セグメントで構成されており、ドリフトスペース供給を考慮していない。反射部は、２つの電場セグメントＥ２とＥ３のみを使用する。イオン平均転回点（Ｘ＝０、Ｕ＝Ｕ０）でのＥ２電場の非直線性および湾曲は、Ｅ３電場の侵入によってのみ形成され、転回点から電場境界までの距離Ｘ３は、約０．０７５Ｄで、１．５Ｈより小さい。グラフ１１３は、アイコン１１４に示されている、エネルギー収差あたりのいくらかの残留低次時間におけるエネルギーあたりの時間のプロットを示し、ΔＴ／Ｔ０＜１Ｅ−５等時性でエネルギー受容性ΔＫ／Ｋ０を１２％に拡大するように最適化されている。ミラー１１１の達成されたエネルギー受容性１２％は、図４のミラー４０のΔＫ／Ｋ０＝２１％よりも著しく低い。このため、電源の数を減らし、一方の側からの電場侵入を残しても、セグメント化されたイオンミラーのパラメータを譲歩するだけである。
【０１３３】
図１２を参照すると、電源の数を減らすより効率的な方法のための電気的スキーム１２１が示されている。電場強度Ｅ１およびＥ２が最適な新規ミラーで近接していることを考慮すると（図９のプロット９８を参照）、追加の抵抗器１２２によってＥ２／Ｅ１比を調整しながら、Ｕ２電源を省略することが好ましい。シャントディバイダを使用することは明らかなステップであるが、調整可能なパラメータの数を減らしてもミラーの調整が可能かどうかは明らかではない。実際には、抵抗器１２２によるＥ２／Ｅ１比の設定は、１％のルーチン精度内で達成され得る。プロット１２２は、図４のイオンミラー４０におけるＥ２／Ｅ１設定の不正確さが、電圧Ｕ１およびＵ３を調整することによって補償され得ることを示している。プロット１２３は、新規イオンミラーの改善されたエネルギー受容性ΔＫ／Ｋ０＝２２％を維持するために、Ｅ２／Ｅ１設定の正確さが０．１％の精度で維持されることを示している。このため、先行技術においてシャント抵抗器を使用することは、最適なミラーパラメータの知識によってサポートされておらず、ディバイダの精度に関する要件を考慮していなかった。
【０１３４】
新規イオンミラーの実施形態：図１３を参照すると、実施形態１３０は、本発明の実施形態の新規イオンミラーに通電するための「一般的な」電極構造および電気的スキームを提示する。新規イオンミラーの階段状電場は、薄い（Ｘ方向あたり）電極１３１に線形電位分布Ｅ１…Ｅ４のいくつかのセグメントを形成することによって生成されるが、セグメントは互いに開いたまま、つまりグリッドによって分離されていない。薄い電極は、シートフレームで、または平行な電極列によって形成され得る。
【０１３５】
各セグメント内の電極間の均一な電場は、例えば、０．１％〜１％の精度と１０ｐｐｍ／Ｃの熱係数を有する市販の抵抗器を使用して、抵抗チェーン１３４によってサポートされる。次に、Ｕ０、Ｕ１…およびＵＤとして示される電位１３５は、「結び目」電極（セグメント間電極）１３３のみに印加される。電源Ｕ２は省略されてもよく、電場強度Ｅ１およびＥ２の比率は、少なくとも１％より良い精度を有する追加のシャント抵抗Ｒｓによって調整される。ダイアグラム１３６は、電位分布を示し、１３８は電極での、および１３９はミラー軸での電位分布である。個々の電極の厚さまたは電圧の小さな変動が、電位調整によって平滑化および補償されることが予測されることは、実際に重要である。少なくともＥ２セグメント内で適度に均一な電場を提供するために、このセグメントの電極周期Ｐは、窓の高さＨよりも少なくとも５倍細かくなければならず、Ｐ＜Ｈ／５となる。最適な窓の高さＨは、ＭＲＴＯＦではキャップ〜キャップ距離
【数３】
2021518045.tif 000006
の約１／４０から１／５０であるため、設計１３０は物理的に狭い電極を作製することを必要とする。例えば、Ｌｃｃ＝５０ｃｍの場合、上記の要件はＰ＜２ｍｍに換算されるが、電極１３１は絶縁ギャップを可能にするためにさらに薄くする必要がある。このため、製造および組立方法は、電極１３１の機械的安定性および真直度を提供するものとする。
【０１３６】
薄い電極の設計：図１４を参照すると、新規イオンミラー１４０、１４３、１４５、および１４８は、薄い（０．５〜３ｍｍ）電極１３１で構築され得、金属シートからスタンプ加工もしくはＥＤＭ加工されたもの、または金属コーティングされたＰＣＢプレートから、または突起によって作られた炭素充填エポキシロッドから作製されたもののいずれかであってもよい。薄い電極の平行性は、例示的な設計に特化した特徴によって維持される。
【０１３７】
実施形態１４０では、電極１３１の真直度は、基板がプラスチック、セラミック、ガラス、テフロン、またはエポキシ（例えば、Ｇ−１０）材料のいずれかであり得る基板１４２内のスロットで維持されている。一対の対向する基板１４２は、キャップ１３１Ｃ電極および厚い入口電極１３２などの厚い電極内のピンまたは肩付きねじによって整列され得る。
【０１３８】
実施形態１４３では、電極１３１の真直度は、ねじ（例えば、プラスチック製のねじ山付きロッドまたはＰＴＦＥスリーブを備えた金属ねじ）で固定された電極での精密な絶縁スペーサ１４４によって維持される。スペーサ１４４は、両方がプラスチック、ＰＴＦＥ、ＰＣＢ、またはセラミックのいずれかで作製された、リングスペーサまたは絶縁シートのいずれかであり得る。電極のサイドシフトは、技術的治具を使用した組み立てによって制御され、電極のずれは、しっかりと固定することによって防止される。設計１４３は、スタックアセンブリにおける不正確さを蓄積するため、およびスペーサの表面が高度に平行でない場合に電極の曲がりの影響を受けやすいために、最も好ましくないことに留意されたい。
【０１３９】
実施形態１４５では、電極１３１の真直度は、以下によって保証される：（ａ）最初に平坦な電極を作り（例えば、ＥＤＭを作るかまたはスタンプし、次いでスタック内の熱緩和により改善する）、（ｂ）電極１３１を側部技術固定具（図示されていない治具）と整列させ、次に（ｃ）電極１３１を基板１４７に接続機構１４６で固定する。好ましい基板１４６は、金属コーティングされたビアを備えたＰＣＢである。プラスチック、セラミック、ＰＴＦＥ、ガラス、および石英を含む、他の絶縁基板も使用できる。好ましい取り付け方法は、エポキシ接着またははんだ付けである。はんだ付けする場合、電極１３１の好ましい材料は、ニッケルまたは銀でコーティングされたステンレス鋼のような、ニッケル４００材料である。接着する場合、好ましい電極材料はステンレス鋼である。電極１３１は、好ましくは、複数の接続ピンでＥＤＭ機械加工またはスタンプされる。あるいは、電極１３１は、ろう付けまたはスポット溶接によって、セラミックＰＣＢ内の金属コーティングされたビアまたはピンに取り付けられてもよい。さらに別法として、電極はリベットによって取り付けられてもよく、サイドクランプによってプラスチックまたはＰＣＢ基板に接続されてもよい。
【０１４０】
実施形態１４８では、電極１３１は、任意選択でチップおよびダストを低減するために金属でコーティングされた、炭素充填エポキシ突起で作製される。この材料は、金属ロッドでは達成できない、優れた初期真直度を提供する。電極１３１は、スタンドオフ１４６を介した接着またははんだ付けのために、各支持体プレート１４７（ＰＣＢ、プラスチック、セラミック、ＰＴＦＥ、またはガラス）上の技術的治具によって整列される。エポキシベースのＰＣＢ（ＦＲ−４のような）は、適合性と低熱係数ＴＣＥ＝４〜５ｐｐｍ／Ｃのために好まれる。
【０１４１】
ＰＣＢ支持体１４７を使用する場合、分割チェーンは、特にセラミック基板用に開発された、表面実装（ＳＭＤ）抵抗器または抵抗インクで生成された抵抗ストリップを採用できる。
【０１４２】
ＰＣＢ設計：図１５を参照すると、イオンミラーの実施形態の別のより好ましいファミリは、ＰＣＢ変形形態１５２−Ａ〜Ｄで例示されているプリント回路基板（ＰＣＢ）１５２で構成されたオープンボックス１５０（２Ｄ図１５１）を備えている。任意選択で、ボックスは側面ＰＣＢボード１５２ｓで囲まれている。ＰＣＢ技術は、０．１ｍｍよりも優れた仕様の、高い精度と平行性を備えた薄い導電性ストライプ１５４（厚さ０．１ｍｍまで下げられる）を作製する標準的な方法を提供する。導電性ストライプは、ＰＣＢ実施形態１５２−Ｄに示されるように湾曲していてもよい。ＰＣＢ基板１５３は、エポキシ樹脂（ＦＲ−４）、セラミック、石英、ガラス、ＰＴＦＥ、またはカプトン（円筒鏡面対称に有用）で作製されてもよい。
【０１４３】
好ましくは、ＰＣＢプレート１５２および側面ＰＣＢプレート１５２ｓは、整列ピンまたは肩付きねじを用いて厚い支持体１３２に取り付けられるが、厚いプレートは、より良い熱適合およびより低重量のために金属コーティングされたＰＣＢ１５９によって置き換えられてもよい。この場合、アセンブリ１５０全体は、技術的治具によって固定され、はんだ付けまたは接着される。好ましくは、基板１５２の剛性は、ＰＣＢリブ１５８によって改善される。好ましくは、ＳＭＤ抵抗器１３４は、ＰＣＢの外側表面にはんだ付けされ、電源１３５および分割抵抗器１３４への導電性ストライプ１５４の接続は、ビア１５６、またはエッジ導電性ストリップ、またはリベット穴、またはサイドクランプのいずれかで配置され得る。ＳＭＤ抵抗器は、Ｍオーム／平方範囲の抵抗を有するペーストによって形成された分散抵抗器と置き換えることができ、抵抗ペーストは、電極１５４の間およびその頂部に適用される。それから、ビア１５６を作製せずに、分割チェーンはボックスの内側表面に配置されてもよい。ＰＣＢ１５２は、真空フィードスルーへの便利な接続のための接続パッドへの導電線をさらに備えてもよく、またはリボンケーブルによってアセンブリ１５０を接続するための中間マルチピンコネクタを有してもよい。ＰＣＢ１５２は、ＭＲＴＯＦ分析計全体を組み立てるための取り付けおよび位置合わせ機能をさらに含み得る。
【０１４４】
帯電防止ＰＣＢ機能：浮遊イオンに曝され得るＰＣＢの内部表面（ボックス１５０内）に帯電防止特性を提供することは有利である。一方では、帯電防止機能が、少なくとも１％の精度で、抵抗分割器１３４の正確さを歪ませないことが望ましく、ストリップ間の抵抗が１００Ｍオームを超える場合があることを意味し、これは、絶縁ストリップの約１００：１の長さ対幅の比率を考慮に入れると、約１０Ｇオーム／平方の最小表面抵抗に相当する。一方、ｎＡビームから散乱したイオンは、絶縁支持体に最大１０ｆＡ／ｍｍ２の電流を生成する場合がある。電位歪みを０．１Ｖ未満に維持するために、帯電防止表面抵抗は、１０Ｔオーム／平方未満となり得る。このため、帯電防止コーティングは精密で均一である必要はないが、１Ｅ＋１０から１Ｅ＋１３オーム／平方の広い範囲に維持され得る。これは、１Ｅ＋１４〜１Ｅ＋１５オーム／平方で指定されたＦＲ−４ＰＣＢボードの標準抵抗に対して１０〜１００倍低い。
【０１４５】
１つの解決策は、ＺｒＯ２、Ｓｉ３Ｎ４、ＢＮ、Ａ１Ｎ、ムライト、フリエライト（Ｆｒｉａｌｉｔｅ）、およびサイアロンなどのそれ自体の抵抗が低いセラミック基板を使用することである。ただし、セラミックはコストが高く、全体的な構造が壊れやすいため、あまり魅力的ではない。より好ましい解決策を図１５に示す。それらは、帯電防止層の蒸着またはより微細な電極構造の使用に基づいている。
【０１４６】
再び図１５を参照すると、ＰＣＢ実施形態１５２−Ａは、比較的厚い導電性ストリップ１５５の間に微細（幅０．１ｍｍ）な中間導電性ストリップ１５７の構造を採用している。任意選択で、微細なストリップ間の電位低下は、抵抗性コーティング１５５によって分散されてもよい。粗い電位分布のために局所的にコーティングすることは、ＰＣＢ全体をコーティングするよりも簡単である。さらに、数値推定は、微細なストリップ１５５を使用する場合、抵抗層１５５を使用しなくても、１Ｅ＋１４オーム／平方の範囲のＰＣＢの自己コンダクタンスで十分である場合があることを示している。ＰＣＢの導電率がバッチ間で十分に再現性があることを確認するために、実験テストを行う必要がある。
【０１４７】
ＰＣＢの実施形態１５２−Ｂは、ＰＣＢ１５３の導電性ストライプ１５４の頂部に蒸着された帯電防止コーティング１５５の例を示す。コーティングは、ＰＣＢ製造後にその後行われてもよい。帯電防止コーティング１５２は、銅、アルミニウム、スズ、鉛、ジルコニウム、またはチタンの蒸着を伴うグロー放電にエポキシまたはセラミックＰＣＢを曝すことによって形成され得る。あるいは、帯電防止コーティングは、導電性粒子（例えば、炭素粉末）を薄いポリマーコーティングとともに蒸着させることによって生成されてもよい。実施形態１２６は、導電性ストライプ１２１の下の（電子管およびスコープで使用されるものと同様の）抵抗層の例を示し、これは、セラミック、石英、およびガラス基板へのより良好な接着に好ましい場合がある。
【０１４８】
ＰＣＢの実施形態１５２−Ｃは、導電性ストライプを蒸着する前に帯電防止コーティング１５５がＰＣＢ１５３の頂部に蒸着されている逆の場合を提示する。
【０１４９】
帯電防止ＰＣＢの特性を解明することで、イオンミラーを作製するために経済的ＰＣＢを使用する機会が開かれる。ＰＣＢ技術は、薄くて十分に平行な電極を形成するという利点を提供し、それにより、経済的かつコンパクトなＳＭＤ抵抗器を使用して、微細な抵抗分割器を作製する便利な方法を提供する。ＰＣＢ技術は、新規イオンミラーに完全に適合する。新規イオンミラーはＰＣＢ技術向けに設計されており、ＰＣＢ技術は電場セグメントで構成される新規イオンミラーを作製する最良の方法であると言える。
【０１５０】
ミラースタック：図１６を参照すると、非常に大きなデューティサイクルで直交加速器（ＯＡ）を備えた多重反射ＴＯＦを構築するために、スリムＰＣＢミラーのスタック１６０（図１５の１５０のような）が提案されている。実施形態１６０は、イオン源Ｓであって、ここでは、ガスで満たされたＲＦイオンガイドとそれに続く一組のレンズを備えるものとして示されている、イオン源Ｓ、イオン閉じ込め手段１６２を有するＯＡ貯蔵領域を備えた細長い直交加速器１６１、ＯＡ出口におけるトランスアキシャルレンズ１６３、２つのスリムＰＣＢミラーのスタック１６６、検出器１６７、および任意選択の２つの対の偏向プレート１６５、を備える。例示的なイオン閉じ込め手段１６２は、同時係属出願であるＧＢ１７１２６１８．６に記載されており、周期的レンズ、四極静電ガイド、交互四極静電イオンガイドなどの様々な静電またはＲＦイオンガイドを含み得る。
【０１５１】
動作中、イオン源Ｓからのイオンは、ＯＡ１６１内に放出され、適度なエネルギー、例えば、２０〜５０ｅＶで閉じ込め手段１６２に沿って進行する。周期的に、パルスは、ＯＡ１６１のプッシュプル電極（図示せず）に印加され、任意選択で、閉じ込め手段１６２上のスイッチング電圧を伴う。長いイオンパケット（長さ５０〜１５０ｍｍ）１６４がＯＡから抽出され、トランスアキシャル（ＴＡ）レンズ１６３によってＺ方向に空間的に集束され、適度な傾斜角、約３〜５度であると予想される、でイオンミラー１６６の間の電場のないスペースに入る。２つのスリムなＰＣＢイオンミラーのスタック１６６が、対向するイオン反射のために配置されている。対向するスタックは、Ｙ方向に半周期シフトされている。イオンパケット１６８は、イオンミラーの反射ごとにＹ方向に側方に変位し、一方、次のアクションのうちの１つによってＺ方向に空間的に集束される：（ｉ）ＴＡレンズ１６４のみのアクションによるか、（ｉｉ）または図１５の実施形態１５２−Ｄのように湾曲したストリップを有するＰＣＢミラーの空間的集束によって支援されるか、または（ｉｉｉ）空間的に集束するＴＡレンズと少なくとも１つのＰＣＢイオンミラー内に配置された等時性を補償する電場湾曲との組み合わされたアクションによる。ＰＣＢミラーの静電くさび場は、ＸＺ平面内で発生する可能性のあるミラーの位置ずれを補償するために使用され得、言い換えると、Ｙ軸を中心としたコンポーネントの小さな回転を補償する。
【０１５２】
結果として、長いイオンパケット１６８は、ミラー反射あたりのイオンドリフト変位ΔＺが、イオンパケット１６８のＺ長と比較してはるかに短いとしても、最初のイオンミラーの反射後にＯＡと干渉しない。イオンパケットは、長い飛行経路でＺ方向に（ＴＡレンズによって、任意選択でＰＣＢミラーの湾曲した場によって支援されて）空間的に集束され、これは、イオンパケットがイオン検出器１６７に当たったときに、（Ｚ方向に）イオンパケットを集束するためのいくつかのイオンミラー反射に対応する。このため、新規の実施形態は、ＭＲＴＯＦの完全に静的な動作において、長いイオンパケットの多重反射ＴＯＦ分離を達成する。偏向パルスがないため、質量分析の全質量範囲を維持する。
【０１５３】
実施形態１６０はまた、より広い（Ｙ方向の）ＯＡからスリムなイオンミラー１６６へのイオン注入が、２対の偏向プレート１６５を使用して、比較的小さな角度でＹ方向に側方イオン偏向を行うことによって支援され、Ｙステアリングに関連する飛行時間収差を和らげ得ることを例証している。静的イオンビーム動作では、約２０〜３０％のＯＡの大きなデューティサイクルが予想され、ＲＦイオンガイドにイオンを蓄積し、パルスイオン放出をＯＡ１６１パルスと同期させるならば、デューティサイクルをさらに改善してほぼ１にすることができる。
【０１５４】
スリム（Ｙ方向）で低コストのＰＣＢベースのＴＯＦおよびＭＲＴＯＦ分析器のスタック１６６により、ＷＯ２０１１／０８６４３０に記載されているような、強化されたダイナミックレンジを備えたＥトラップ、ＷＯ２０１７／０９１５０１およびＷＯ２０１７／０４２６６５に記載されているような、複数のイオン源を使用するか、または単一のイオン源のパルスレートを増加させ、ＭＳ−ＭＳタンデムでのＭＳ２分析に複数のチャネルを使用すること、などの、様々な既知の多重化ソリューションが可能になる。
【０１５５】
本発明は、好ましい実施形態を参照して説明されてきたが、添付の特許請求の範囲に記載された本発明の範囲を逸脱することなく、形態および細部において様々な変更が行われ得ることは、当業者には明らかであろう。
【図１】
2021518045.tif 000007
【図２】
2021518045.tif 000008
【図３】
2021518045.tif 000009
【図４】
2021518045.tif 000010
【図５】
2021518045.tif 000011
【図６】
2021518045.tif 000012
【図７Ａ】
2021518045.tif 000013
【図７Ｂ】
2021518045.tif 000014
【図８】
2021518045.tif 000015
【図９Ａ】
2021518045.tif 000016
【図９Ｂ】
2021518045.tif 000017
【図１０】
2021518045.tif 000018
【図１１】
2021518045.tif 000019
【図１２】
2021518045.tif 000020
【図１３】
2021518045.tif 000021
【図１４】
2021518045.tif 000022
【図１５】
2021518045.tif 000023
【図１６】
2021518045.tif 000024
【国際調査報告】
2021518045.tif 000025
2021518045.tif 000026
2021518045.tif 000027
2021518045.tif 000028
2021518045.tif 000029